(57)【要約】  自己治癒可撓性電気泳動ディスプレイおよび関連装置のためのシステム、方法、およびコンピュータ可読媒体が開示される。一実施形態では、例示の可撓性電気泳動ディスプレイは、第１の幅を有する可撓性プラスチック薄膜トランジスタ（ＴＦＴ）後面と、可撓性プラスチックＴＦＴ後面に結合された電気泳動層と、電気泳動層に結合された電極層と、可撓性プラスチックＴＦＴ後面上に配置された集積回路と、第１の幅以上である第２の幅を有する保護シートと、を含んでもよい。【選択図】図１
2020534563.tif 000002
【特許請求の範囲】
【請求項１】
ディスプレイスタックであって、
１つ以上の発光ダイオード（ＬＥＤ）からの光を方向付けるように構成されたライトガイドと、
プラスチックカバーレンズと、
可撓性電気泳動ディスプレイ（ＥＰＤ）であって、
第１の幅を有する可撓性プラスチック薄膜トランジスタ（ＴＦＴ）後面と、
前記可撓性プラスチックＴＦＴ後面に結合された電気泳動層と、
前記電気泳動層に結合された電極層と、
前記可撓性プラスチックＴＦＴ後面上に配置された集積回路と、
前記第１の幅以上である第２の幅を有する第１の保護シートと、を含む、可撓性電気泳動ディスプレイと、を含む、ディスプレイスタック。
【請求項２】
前記第１の保護シートは、５０ミクロン以下の厚さを有するホットメルト保護シートであり、前記ホットメルト保護シートおよび前記電極層は共に前記集積回路に適合している、請求項１に記載のディスプレイスタック。
【請求項３】
前記集積回路は前記電気泳動層に隣接して配置され、前記ディスプレイスタックは、
前記集積回路と前記第１の保護シートとの間に位置決めされた光遮断材料層をさらに含む、請求項１または２に記載のディスプレイスタック。
【請求項４】
前記集積回路は前記電気泳動層に隣接して配置され、前記ディスプレイスタックは、
前記第１の保護シート上に配置され、かつ前記集積回路と位置合わせされた光遮断材料層をさらに含む、請求項１〜３のいずれか一項に記載のディスプレイスタック。
【請求項５】
前記プラスチックカバーレンズと前記ライトガイドとの間に少なくとも部分的に配置されたタッチセンサ可撓性プリント回路（ＦＰＣ）と、
前記ライトガイドと前記可撓性ＥＰＤとの間に少なくとも部分的に配置されたＬＥＤ  ＦＰＣと、
前記ＬＥＤ  ＦＰＣに隣接して縦方向に配置されたＥＰＤ  ＦＰＣと、をさらに含む、請求項１〜４のいずれか一項に記載のディスプレイスタック。
【請求項６】
前記集積回路の少なくとも１つのエッジ面に沿って前記可撓性プラスチックＴＦＴ後面の一部上に配置された硬質シーラント材料をさらに含み、
前記可撓性プラスチックＴＦＴ後面はポリイミド材料を含む、請求項１〜５のいずれか一項に記載のディスプレイスタック。
【請求項７】
前記プラスチックカバーレンズは、前記集積回路および前記可撓性プラスチックＴＦＴ後面の上方に延在している、請求項１〜６のいずれか一項に記載のディスプレイスタック。
【請求項８】
前記可撓性プラスチックＴＦＴ後面に結合された第２の保護シートと、
前記可撓性プラスチックＴＦＴ後面の少なくとも１つのエッジに隣接する前記第２の保護シートの一部上に配置された硬質シーラント材料と、をさらに含む、請求項１〜７のいずれか一項に記載のディスプレイスタック。
【請求項９】
装置であって、
ハウジングと、
前記ハウジングに接着されたディスプレイスタックと、を含み、前記ディスプレイスタックは、
第１の幅を有する可撓性プラスチック薄膜トランジスタ（ＴＦＴ）後面と、
前記可撓性プラスチックＴＦＴ後面上に配置された集積回路と、
前記可撓性ＴＦＴ後面に結合された電気泳動層と、
前記電気泳動層に結合された電極層と、
ライトガイドと、
紫外光遮断材料を含むプラスチックカバーレンズと、
前記第１の幅以上である第２の幅を有する第１の保護シートと、を含む、装置。
【請求項１０】
前記第１の保護シートは、５０ミクロン以下の厚さを有するホットメルト保護シートであり、前記ホットメルト保護シートおよび前記電極層は共に、前記集積回路に適合している、請求項９に記載の装置。
【請求項１１】
前記プラスチックカバーレンズは、
プラスチック基板と、
前記プラスチック基板上に配置された自己治癒材料層であって、グレア防止表面特徴を含む、自己治癒材料層と、を含む、請求項９または１０に記載の装置。
【請求項１２】
前記可撓性プラスチックＴＦＴ後面に結合された第２の保護シートと、
前記可撓性プラスチックＴＦＴ後面の少なくとも１つのエッジに隣接する前記第２の保護シートの一部に配置された硬質シーラント材料と、をさらに含む、請求項９〜１１のいずれか一項に記載の装置。
【請求項１３】
前記集積回路の少なくとも１つのエッジ面に沿って前記可撓性プラスチックＴＦＴ後面の一部に配置された硬質シーラント材料と、
前記ライトガイドに一体化されたタッチセンサ層と、をさらに含む、請求項９〜１２のいずれか一項に記載の装置。
【請求項１４】
前記プラスチックカバーレンズは、約１．０〜約１．２８の屈折率を有する第１のコーティング層と、接着層と、プラスチック層と、を含み、前記装置は、
前記プラスチック層または前記第１のコーティング層の外周の周りに配置された積層構成における第１の数の白色材料層であって、前記白色材料層のそれぞれは第１の幅を有する、第１の数の白色材料層と、
前記白色材料層に隣接して配置された積層構成における第２の数の黒色材料層であって、前記黒色材料層のそれぞれは第２の幅を有する、第２の数の黒色材料層と、をさらに含む、請求項９〜１３のいずれか一項に記載の装置。
【請求項１５】
前記プラスチックカバーレンズは、
第１のプラスチック層上に配置されたグレア防止コーティングと、
前記第１のプラスチック層の外周の周りに配置された積層構成における第１の数の白色材料層であって、前記白色材料層のそれぞれが第１の幅を有する、第１の数の白色材料層と、
前記白色材料層に隣接して配置された積層構成における第２の数の黒色材料層であって、前記黒色材料層のそれぞれが第２の幅を有する、第２の数の黒色材料層と、
前記白色材料層と前記黒色材料層との間の前記プラスチック層上に配置された平坦化コーティングと、
前記平坦化コーティングに隣接する光学的に透明な接着層と、
前記光学的に透明な接着層に結合された第２のプラスチック層と、を含む、請求項９〜１４のいずれか一項に記載の装置。
【発明の詳細な説明】
【技術分野】
【０００１】
関連出願の相互参照
本出願は、２０１７年９月１８日に出願された米国特許出願第１５／７０７，３０７号の国際出願であり、この出願の利益を主張するものであり、この出願の全体を参照により本明細書に援用する。
【背景技術】
【０００２】
電子装置は、ユーザに情報を提示するディスプレイを含み得る。ディスプレイの厚さは、電子装置の厚さ全体に影響することがあり、したがって、より薄いディスプレイが、より薄い電子装置を構成するために使用され得る。さらに、電子装置は、電子装置の落下または他の意図しない取り扱いにより引き起こされる損傷を被ることがある。そのような損傷は、割れ、砕けなどのディスプレイに対する損傷を含むことがある。ディスプレイはまた、電子装置の他の態様に影響し得る。例えば、照明構成要素は、装置ハウジングの様々な部分を通って可視的である光を出力し得、それは、ディスプレイの視認性に望ましくないかつ負の影響を与えることがある。
【図面の簡単な説明】
【０００３】
【図１】本開示の１つ以上の実施形態に従ったディスプレイスタックを備えた電子装置の平面図および断面図の模式図である。
【図２】本開示の１つ以上の実施形態に従った可撓性電気泳動ディスプレイスタックの断面図の模式図である。
【図３】本開示の１つ以上の実施形態に従った可撓性電気泳動ディスプレイス  タックの断面図の模式図である。
【図４】本開示の１つ以上の実施形態に従った集積回路を備えたディスプレイスタックの一部の断面図の模式図である。
【図５】本開示の１つ以上の実施形態に従った自己治癒可撓性電気泳動ディスプレイスタックの模式図である。
【図６】本開示の１つ以上の実施形態に従った自己治癒可撓性電気泳動ディスプレイスタックの構成要素の模式図である。
【図７】本開示の１つ以上の実施形態に従った自己治癒可撓性電気泳動ディスプレイを備えた電子装置の断面側面図の模式図である。
【図８】本開示の１つ以上の実施形態に従った自己治癒可撓性電気泳動ディスプレイを備えた電子装置の断面側面図の模式図である。
【図９】本開示の１つ以上の実施形態に従った電子装置内に位置する自己治癒可撓性電気泳動ディスプレイスタックの模式図である。
【図１０】本開示の１つ以上の実施形態に従った保護シートを製造する例示的な概略プロセスフローである。
【図１１】本開示の１つ以上の実施形態に従った白色マスクスタックの断面図の模式図である。
【図１２】本開示の１つ以上の実施形態に従った白色マスクスタックの断面図の模式図である。
【図１３】本開示の１つ以上の実施形態に従った白色マスクスタックの断面図の模式図である。
【図１４】本開示の１つ以上の実施形態に従った電子装置の例示的アーキテクチャの模式図である。
【０００４】
発明を実施するための形態が、添付図を参照しながら明記されている。図は、例示のみの目的で提供され、本開示の例示的な実施形態を単に示している。図は、本開示の理解を容易にするために提供され、本開示の幅、範囲、または適用性を限定することを意味するものではない。同じ参照番号の使用は、同様であることを示すが、必ずしも同じまたは同一の構成要素を示すものではない。異なる参照番号は、同様の構成要素を識別するために使用されてもよい。様々な実施形態は、図に示されている要素または構成要素以外の要素または構成要素を使用してもよく、一部の要素および／または構成要素は様々な実施形態において存在しなくてもよい。構成要素または要素に対する単数形用語の使用は、コンテキストに応じて、複数のそのような構成要素または要素を包含してもよく、その逆であってもよい。
【発明を実施するための形態】
【０００５】
概要
マルチメディア装置は、デジタルコンテンツを出力するために、またいくつかの例において、ユーザによる通信のために１つ以上の表示装置にコンテンツを提示させるために使用されてもよい。例えば、マルチメディア装置は、デジタルコンテンツをストリーミングするコンテンツストリーミング装置であってもよく、１つ以上のデータ記憶装置を読み出して、データ記憶装置に記憶されているコンテンツを提示させるように構成されていてもよい。マルチメディア装置は、コンテンツおよび他の情報の種々の形態にアクセスするために使用されてもよい、例えば、電子リーダ（「ｅ−リーダ」）装置、デスクトップコンピュータ、ポータブルコンピュータ、スマートフォン、タブレットコンピュータ、テレビ、ウェアラブル装置、スピーカ装置などの様々な装置を含んでもよい。そのような装置は、ユーザに情報またはコンテンツを提示するために使用されるディスプレイを含んでもよい。
【０００６】
転倒または落下され易いタブレットまたはスマートフォンなどの特定の電子装置には、損傷を被る可能性がある。転倒または落下のようなことからもたらされる損傷は、割れたまたは砕けたスクリーンなどのディスプレイへの損傷を含み得る。本開示の実施形態は、損傷しにくい自己治癒ディスプレイを含み、割れおよび／または破砕防止に強くてもよい。特定の実施形態は、高められた可撓性を有し、それにより、電子装置および／またはディスプレイの耐久性を高めた可撓性ディスプレイスタックを含む。さらに、いくつかの実施形態は、より薄い装置プロファイルを容易にし得る、ガラスに代わるプラスチック材料を使用する結果としての比較的薄いディスプレイを含んでもよい。より薄い装置プロファイルは、他の構成要素のための追加の余地を生成することにより、装置の携帯性および／または機能性を高めてもよい。さらに、特定の装置は、装置のディスプレイの周りの光漏れ問題を有することがあり、光は、アクティブなディスプレイの周りのグロー、装置のエッジでの可視光の漏れ、および／または装置の表示面の外周の周りのハロー効果などの問題を引き起こすことがある。光漏れ問題は、装置ハウジングの色によって悪化されることがある。例えば、白色の、または比較的淡い色のハウジングを備えた装置は、例えば、より濃い色のまたは黒色のハウジングを備えた装置よりも光漏れ問題に影響され易いことがある。
【０００７】
本開示の実施形態は、自己治癒可撓性電子ディスプレイを含む。本開示のディスプレイスタックは、他のディスプレイよりも薄くてもよく、他のディスプレイよりも耐久性が高くおよび／または破損しにくくてもよい。本開示のディスプレイスタックを含む電子装置は、より薄いプロファイル、向上された内部空間の結果としての高められた機能性を有することができ、ディスプレイの視認性または可読性に負の影響を与えることがある光漏れ問題を防止することができる。いくつかの例示的な実施形態では、本明細書で記載されているディスプレイスタックは、平坦なおよび／または平面のディスプレイスタックであってもよい一方、他の例示的な実施形態では、ディスプレイスタックの１つ以上の構成要素が曲がっていてもまたは部分的に曲がっていてもよい。本開示の特定の実施形態は、電子装置および／またはディスプレイの照明問題により引き起こされる光漏れおよび／またはハロー効果を低減することによって、ユーザに対して審美的に美しくあり得る。
【０００８】
本明細書に記載されている技術、方法およびプロセスは、ガラスベースの構成要素と置き換えることができるプラスチックベースのディスプレイスタック構成要素を製造するために使用されてもよい。その結果、装置およびディスプレイ耐久性が改善されてもよく、装置ハウジング内にディスプレイスタックを取り付ける固定または取り付け機構が簡易化されてもよい。さらに、ガラスベースのディスプレイ構成要素を固定するために使用される構成要素は、もはや必要なくてもよい。電子泳動ディスプレイおよびディスプレイスタックの観点から説明されているが、本開示の態様は、ディスプレイスタックおよび／またはディスプレイの他の形態により幅広く適用可能である。
【０００９】
本開示は、とりわけ、自己治癒可撓性電気泳動ディスプレイについてのシステム、方法、コンピュータ可読媒体、技術および方法論に関する。本明細書で説明されているディスプレイスタックは、他のディスプレイと比較して比較的薄い耐破砕性または破砕防止電子ディスプレイを構成して、装置ハウジングの色の点で光漏れ問題を防止するために使用されてもよい。
【００１０】
図１を参照すると、ディスプレイスタック１１０を備えた例示的な電子装置１００が、本開示の１つ以上の実施形態に従って示されている。ディスプレイスタック１１０は、電子リーダ装置または他の表示装置と共に使用するための自己治癒ディスプレイスタックであってもよい。電子装置１００は、ディスプレイスタック１１０の一部または全部がその中に位置決めされてもよいハウジング１０２を含んでもよい。いくつかの実施形態では、ディスプレイスタック１１０は、外側表示層の部分などの、装置ハウジングの一部またはすべてを形成してもよい。装置１００は、ｅ−リーダ装置、コンピュータディスプレイ、ポータブルコンピュータ、スマートフォン、タブレットコンピュータ、ゲームコンソール、テレビ、車載ディスプレイなどであってもよい。ディスプレイスタック１１０は、電子装置１００のディスプレイを形成してもよく、電子装置１００のユーザに情報を提示するようにおよび／またはユーザからの入力を受信するように構成されてもよい。一実施例では、ディスプレイスタック１１０は、電子装置１００のタッチスクリーンを形成してもよく、ユーザは、ディスプレイスタック１１０の一部をタッチまたは押圧して、選択または別の入力を行ってもよい。装置１００は、ドライバ集積回路１１２、可撓性プリント回路１１４、および他の回路などの１つ以上の回路を含んでもよい。
【００１１】
ディスプレイスタック１１０の一部１２０が、線Ａ−Ａに沿った断面図で示されている。示されている実施形態では、ディスプレイスタック１１０は複数の層を含んでもよい。層は、異なる厚さを有してもよく、スケーリングして示されていなくてもよく、他の層または他の図に対してスケーリングして示されていなくてもよい。
【００１２】
図１では、ディスプレイスタック１１０の一部１２０は保護シート１２２を含んでもよい。ディスプレイスタック１１０は、自己治癒保護シート１２２、または第１の表面上に配置されたグレア防止材料層１４２を備えた、第１の表面および第２の表面を有するプラスチックカバーレンズ１４４を含んでもよい。いくつかの実施形態では、グレア防止材料および自己治癒材料層が単一層を形成してもよい。自己治癒保護シート１２２は、自己治癒材料からなってもよい。自己治癒材料は、外部の人の介入なしにそれ自体により損傷を自発的に修復させる能力を有する合成ポリマーであってもよい。いくつかの実施形態では、カバーレンズ面は、時間と共に傷がつく、またはひび割れ得、表示視認性に影響し、かつユーザの体験に負の影響を与えることがある。自己治癒材料は、損傷に応答する物理的または化学的修復機構によりそれ自体を修復することができる。自己治癒材料は、カバーレンズ材料として使用され得る膜またはコーティングを含むことができる。自己治癒膜は、自律膜、またはプラスチック基板（例えば、ＰＣ、ＰＭＭＡ、ＰＥＴなど）などの支持基板上のコーティングの層であり得る。例示的な自己治癒ポリマーは、とりわけ、ポリウレタンまたはシリコーンなどの種類を含む。損傷を被った後に、ポリマー鎖は、室温でリフローして、元形状因子を回復し得る。そのような自己治癒材料は、５０℃未満または４０℃などの低いガラス転移温度を有してもよい。特定の自己治癒膜またはコーティングは、光学的に透明であり得、またはグレア防止表面特徴を有してもよい。
【００１３】
保護シート１２２は前保護シートであってもよい。保護シート１２２は、ディスプレイスタック１１０の外面を形成してもよく、場合によっては、装置１００の外面を形成してもよい。保護シート１２２は、引っ掻き、すり減り、および他の損傷からディスプレイスタック１１０を保護してもよい。いくつかの実施形態では、保護シート１２２は、多層構造体または複合体であってもよく、１つ以上の自己治癒材料層またはコーティングを含んでもよい。例えば、保護シート１２２は、プラスチック基板などの硬質基板上に配置された自己治癒グレア防止および／または反射防止コーティングを含んでもよい。自己治癒グレア防止および／または反射防止コーティングは、ディスプレイスタック１１０の外側層を形成してもよい。自己治癒材料は、ポリ（フッ化ビニリデン−ヘキサフルオロプロピレン共重合体）、イオン性塩などの自己治癒特性を有する様々なポリマーまたはプラスチックを含んでもよい。
【００１４】
第１の光学的に透明な接着層１２４は、保護シート１２２とタッチセンサ層１２６との間に少なくとも部分的に位置決めされてもよく、保護シート１２２にタッチセンサ層１２６を結合してもよい。第１の光学的に透明な接着層１２４は、光学的に透明な接着剤からなってもよく、液状または固形状であってもよい。いくつかの実施形態では、光学的に透明な接着剤は接着テープであってもよい。いくつかの実施形態では、光学的に透明な接着剤はアクリル系接着剤であってもよい。
【００１５】
タッチセンサ層１２６は、１つ以上の容量センサまたは他のタッチセンサを含んでもよく、少なくとも部分的に、インジウム錫酸化物および／または均一な透明な電極から形成されてもよい。
【００１６】
第２の光学的に透明な接着層１２８は、タッチセンサ層１２６とライトガイド１３０との間に位置決めされてもよく、タッチセンサ層１２６にライトガイド１３０を結合してもよい。ライドガイド１３０は、ディスプレイスタック１１０の一部またはすべてにわたって１つ以上の発光ダイオード（ＬＥＤ）または他の光源からの光を方向付けるように構成されてもよい。ライトガイド１３０はプラスチックまたは別の材料からなってもよい。例えば、ライトガイド１３０は、暗い環境下でディスプレイスタック１１０を照明するために使用されてもよく、眼精疲労を軽減するように、視認者の眼に直接入射しない光を提供してもよい。
【００１７】
第３の光学的に透明な接着層１３２は、ライトガイド１３０と可撓性電気泳動ディスプレイ１３４との間に位置決めされてもよく、ライトガイド１３０に可撓性電気泳動ディスプレイ１３４を結合してもよい。光学的に透明な接着層の各々は、同じまたは異なる材料または接着剤からなってもよい。可撓性電気泳動ディスプレイ１３４は、後続の図における例示的な実施形態で示すように、複数の異なる層を含んでもよい電子インク（「ｅ−インク」）であってもよい。いくつかの実施形態は、電極層、タッチ層、マイクロカプセル層、薄膜トランジスタ（ＴＦＴ）層、後面基板または後保護シート層、および／または他のまたは異なる構成要素または層を含んでもよい。１つ以上の色調整可能発光ダイオード（ＬＥＤ）１５８が、ライトガイド１３０の１つ以上の表面に隣接して位置決めされてもよい。
【００１８】
１つ以上の可撓性プリント回路（ＦＰＣ）は、ディスプレイスタックの様々な構成要素に結合されてもよい。例えば、タッチ層ＦＰＣ１６０は、タッチセンサ層１２６の下側または表面に結合されてもよい。タッチ層ＦＰＣ１６０は、タッチセンサ層１２６と第２の光学的に透明な接着層１２８との間に位置決めされてもよい。ＬＥＤ  ＦＰＣ１６２は、１つ以上のＬＥＤ１５８に結合されてもよく、例えば、接着剤でライトガイド１３０の下面に結合されてもよい。ＬＥＤ  ＦＰＣ１６２は、ライトガイド１３０とＥＰＤ１３４との間に位置決めされてもよい。ＥＰＤ  ＦＰＣ１６４は、ＥＰＤ１３４に結合されてもよく、第３の光学的に透明な接着層１３２に隣接して位置決めされてもよい。ＥＰＤ  ＦＰＣ１６４およびＬＥＤ  ＦＰＣ１６２は両方、ライトガイド１３０とＥＰＤ１３４との間に位置決めされてもよく、ＬＥＤ  ＦＰＣ１６２はライトガイド１３０に隣接し、ＥＰＤ  ＦＰＣ１６４はＥＰＤ１３４に隣接している。他の構成が使用されてもよい。
【００１９】
装置ハウジング１０２は、白、黒、ピンクなどの任意の適切な色であってもよく、プラスチック、アルミニウムなどの複数の異なる材料からなってもよい。装置ハウジングの色および／または材料は、ディスプレイスタック１１０の一部の周りに漏れる光に起因する光漏れ問題に影響を与える場合がある。例えば、表示領域グロー１０４は、ディスプレイスタック１１０の活性領域の隣の可視的なグローであることがあり、エッジ光漏れ１０６は、ディスプレイスタック１１０のカバーレンズのエッジを通って漏れる可視光であることがあり、装置アセンブリの後に可視的であることがあり、および／または、ハロー効果１０８は、カバーレンズに反射されて戻る可視光であることがあり、ディスプレイスタック１１０のカバーレンズのエッジの周りの狭グローとして現れることがあるなどである。本開示の実施形態は、装置ハウジングの色および／または材料にかかわらず、１つ以上の光漏れ問題を緩和し得る。
【００２０】
装置１００の一部１４０は、線Ｂ−Ｂに沿った断面図に示されている。示されている実施形態では、装置１００および／またはディスプレイスタック１１０は複数の層を含んでもよい。層は、異なる厚さを有してもよく、スケーリングして示されていなくてもよく、他の層または他の図に対してスケーリングして示されていなくてもよい。
【００２１】
一部１４０に示されている層の下部分は、一部１２０に示されているディスプレイスタック１１０の層であってもよい。本明細書で使用されている「下」および「上」は相対位置であり、絶対位置ではない。例えば、可撓性電気泳動ディスプレイ１３４は、示されている一部１４０の下部を形成してもよく、第３の光学的に透明な接着層１３２、ライトガイド１３０、第２の光学的に透明な接着層１２８、タッチセンサ層１２６、第１の光学的に透明な接着層１２４、および保護シート１２２を備えたディスプレイスタックにおいて積層されてもよい。
【００２２】
一部１４０に詳細に示されているように、一部の実施形態では、保護シート１２２は１つ以上の構成要素を含んでもよい。例えば、保護シート１２２は、ディスプレイにおけるグレアを低減するように構成されたグレア防止材料層１４２と、グレア防止材料層１４２を支持し、かつディスプレイスタック１１０を保護するように構成されたプラスチックカバーレンズ１４４と、紫外光をフィルタリングするように構成された低紫外線指数材料層１４６と、接着層１４８と、１つ以上の構成要素を支持し、および／またはディスプレイスタック１１０を保護するように構成されたポリエチレンテレフタレート（ＰＥＴ）プラスチック層１５０と、を含んでもよい。第１の光学的に透明な接着層１２４は、タッチセンサ層１２６に保護シート１２２を結合してもよい。他の実施形態では、保護シートは、追加の、より少ない、または異なる構成要素を含んでもよい。いくつかの実施形態では、特定の構成要素は、保護シートの一部とみなされなくてもよく、プラスチックカバーレンズなどの他の構成要素または構造体の一部であってもよい。グレア防止材料層１４２は、自己治癒材料を含んでもよく、紫外線遮断、反射防止性、および他の特性などの他の特性を有してもよい。
【００２３】
白色のハウジングを備えた装置などの特定の装置では、１つ以上の乾燥インク層が、光漏れ問題を緩和するために、ディスプレイスタック１１０および／または別の構成要素に結合されてもよい。例えば、図１では、乾燥白色インク層のセット１５２は、ＰＥＴ層１５０の表面に結合されてもよい。乾燥白色インク層１５２は、第１の幅を有してもよく、複数の層を有してもよい。例えば、乾燥白色インク層１５２は３つから５つの層を含んでもよい。乾燥白色インク層１５２は、積層構成にあってもよく、互いの上部縦方向に積層されてもよく、またはわずかにオフセットされてもよい。乾燥黒色インク層のセット１５４は、乾燥白色インク層１５２に結合されてもよい。乾燥黒色インク層１５４は、ＰＥＴ層１５０に対向して位置決めされてもよい。乾燥黒色インク層１５４は、乾燥黒色インク層１５４がディスプレイスタック１１０の上部から可視的でないような、第１の幅よりも小さい第２の幅を有してもよい。乾燥黒色インク層１５４の数は、乾燥白色インク層１５２の数よりも小さくてもよい。例えば、２つの乾燥黒色インク層１５４および５つの乾燥白色インク層１５２が存在していてもよい。乾燥黒色インク層１５４は、積層構成にあってもよく、互いの上部縦方向に積層されてもよく、またはわずかにオフセットされてもよい。乾燥インク層１５２、１５４は、装置１００および／またはディスプレイスタック１１０の一部またはすべてのエッジまたは外周に沿って位置決めされてもよい。乾燥インク層１５２、１５４は、ハロー効果および／または表示領域グローを引き起こす光漏れを緩和してもよい。
【００２４】
黒色エッジインク層１５６は、プラスチックカバーレンズ１４４のエッジの周りに形成されてもよく、特定の色の装置においてエッジ光漏れを引き起こす光漏れを防止してもよい。黒色エッジインク層１５６は、乾燥黒色インク層１５４と同じまたはそれとは異なるインクまたは材料からなってもよい。
【００２５】
その結果、ガラスまたは他の材料に代えてプラスチック構成要素を使用することによって、および自己治癒機能性を可能にすることによって、装置は、より薄いディスプレイスタックの結果としてより薄くなり得る。光漏れ問題は、本開示のディスプレイスタックおよび構造体によって解決または緩和され得る。
【００２６】
本開示の例示的な実施形態は、数多くの技術的特徴または技術的効果を提供する。例えば、本開示の例示的な実施形態に従うと、本開示の特定の実施形態は、光漏れ問題を緩和し、ディスプレイスタックの厚さを減少させ、装置の厚さを減少させ、耐久性を向上させることができる。本開示の例示的な実施形態の技術的特徴および／または技術的効果の上記の実施例は、単に例示的であって、網羅的なものではない。
【００２７】
本開示の１つ以上の例示的な実施形態が上記で説明されている。上で説明されている実施形態は、本開示の範囲の単なる例示的なものであり、いかなる場合においても制限することを意図していない。したがって、本明細書に開示されている実施形態の変形、修正、等価も、本開示の範囲内にある。本開示の上記の実施形態ならびに追加および代替の実施形態について、添付図を参照して、以下に詳述する。
【００２８】
例示的実施形態および使用事例
図２は、本開示の１つ以上の実施形態に従った可撓性電気泳動ディスプレイスタック２００の断面図の模式図である。可撓性電気泳動ディスプレイスタック２００は、薄い保護シート可撓性電気泳動ディスプレイスタックであってもよい。可撓性電気泳動ディスプレイスタック２００は、光学的に透明な接着層で前面ラミネート２０４に接着または結合された薄い保護前シート２０２を含んでもよい。具体的には、光学的に透明な接着層２０６は、薄い保護前シート２０２と前面ラミネート２０４との間に配置されてもよい。薄い保護前シート２０２は約１００ミクロンの厚さを有してもよく、光学的に透明な接着層２０６は約１７５ミクロンの厚さを有してもよく、前面ラミネート２０４は約１７５ミクロンの厚さを有してもよい。いくつかの実施形態では、エポキシエッジシールが、保護シート２０２の外周の周りに配置されて、耐水性および／または耐久性を高めてもよい。他の実施形態は、アクリル材料、紫外光硬化性材料、防湿性材料、および他の適切な材料などの異なるエッジシール材料を含んでもよい。
【００２９】
可撓性電気泳動ディスプレイスタック２００はポリイミド膜層２０８を含んでもよい。ポリイミド膜層２０８は、基板上に配置されたポリマーを含んでもよく、イミドモノマーを含んでもよい。いくつかの実施形態では、ポリイミド膜層２０８は、約４０ミクロンの厚さを有してもよい。いくつかの実施形態では、前保護シート２０２は、ポリイミド後面またはポリイミド層２０８の幅以上である幅を有してもよい。
【００３０】
任意の後保護シート２１０は、可撓性電気泳動ディスプレイスタック２００のポリイミド膜層２０８および／または他の構成要素を支持してもよい。後保護シート２１０は、一実施形態における約１５０ミクロンの全厚さに対して、約１００ミクロンの厚さを有してもよく、約５０ミクロンの厚さを有する光学的に透明な接着層を任意に含んでもよい。可撓性電気泳動ディスプレイスタック２００は、装置またはハウジングの中間フレーム２１２に取り付けられてもまたは結合されてもよい。いくつかの実施形態では、ポリイミド膜層２０８は、可撓性ポリイミドＴＦＴ層であってもよい。ポリイミドＴＦＴ層はマイクロカプセル層に結合されてもよく、後保護シートは、ポリイミドＴＦＴ層の反対側に結合されて、ポリイミドＴＦＴ層および／またはｅ−インク表示層を支持してもよい。
【００３１】
集積回路２１４はポリイミド膜層２０８に結合されてもよい。集積回路２１４は、前面ラミネート２０４に隣接して位置決めされてもよい。集積回路２１４を保護するために、および集積回路およびポリイミド膜層２０８を安定化および／または支持するために、硬質シーラントなどのシーラント２１６の１つ以上の部分が、集積回路２１４の１つ以上のエッジまたはエッジ面に沿って位置決めされてもよい。シーラント２１６は、硬質材料内で硬化してもよく、防水性または耐水性を提供して、集積回路２１４を保護してもよい。いくつかの実施形態では、第１の硬質シーラント材料が、集積回路２１４の第１の側面に沿って可撓性ポリイミドＴＦＴ層またはポリイミド膜層２０８上に配置されてもよく、第１の硬質シーラント材料は集積回路２１４を支持するように構成されている。第２の硬質シーラント材料は、第１の側面に対向する集積回路２１４の第２の側面に沿って可撓性ポリイミドＴＦＴ層またはポリイミド膜層２０８上に配置されてもよい。
【００３２】
可撓性プリント回路２１８は、ポリイミド膜層２０８および／または集積回路２１４に少なくとも部分的に結合されてもよい。可撓性プリント回路２１８は、紫外光遮断材料および／または第１のスティフナ材料２２０により支持されて、可撓性プリント回路２１８の位置決めをサポートしてもよい。第１のスティフナ材料２２０は、ポリイミド膜層２０８に隣接して位置決めされてもよく、一実施例では、後保護シート２１０のエッジから約１．２ｍｍだけ張り出してもよい。
【００３３】
同様の紫外光遮断材料および／または第２のスティフナ材料２２２、または硬質シーラント材料が、前面ラミネート２０４の反対側のポリイミド膜層２０８上に位置決めされてもよい。第２のスティフナ材料２２２は、光学的に透明な接着層２０６および結合された前面ラミネート２０４の厚さに等しい、それより小さい、または大きい厚さを有してもよい。第２のスティフナ材料２２２は、可撓性電気泳動ディスプレイスタック２００の耐水性を高めてもよい。
【００３４】
同様の紫外光遮断材料および／または第３のスティフナ材料２２４、または硬質シーラント材料が、光学的に透明な接着層２０６の反対側の可撓性プリント回路２１８上に位置決めされてもよい。第３のスティフナ材料２２４は、光学的に透明な接着層２０６および結合された前保護シート２０２の厚さに等しい、それより小さい、または大きい厚さを有してもよい。第３のスティフナ材料２２４は、可撓性電気泳動ディスプレイスタック２００の耐水性を高めてもよい。
【００３５】
黒色テープセグメントまたは他の光遮断材料などの光遮断材料２２６は、薄い前保護シート２０２上に位置決めまたは配置され、集積回路２１４と縦方向に位置合わせまたは位置合わせされてもよい。光遮断材料２２６は、光が集積回路２１４に入射することを防止してもよい。いくつかの実施形態では、集積回路は、電気泳動層に隣接して配置されてもよく、黒色テープまたは暗色テープなどの光遮断材料層は、集積回路と（ホットメルト）保護シートとの間に位置決めされてもよい。
【００３６】
図３は、本開示の１つ以上の実施形態に従った可撓性電気泳動ディスプレイスタック２３０の別の実施形態を示す。可撓性電気泳動ディスプレイスタック２３０は、可撓性電気泳動ディスプレイスタック２００とは異なっていてもよく、同じ構成要素のいくつかを含んでいてもよい。可撓性電気泳動ディスプレイスタック２３０は、ホットメルト保護シート可撓性電気泳動ディスプレイスタックであってもよい。
【００３７】
可撓性電気泳動ディスプレイスタック２３０では、ポリイミド膜層２０８が、任意の後保護シート２１０（光学的に透明な接着層を含んでもよい）に結合されてもよい。後保護シート２１０は、可撓性電気泳動ディスプレイスタック２００の中間フレーム２１２よりも厚くてもよい中間フレーム構成要素２３２に結合されてもよい。可撓性電気泳動ディスプレイスタック２３０の中間フレーム２３２は、約２５０ミクロンの厚さを有してもよく、約５０ミクロンの厚さの任意の光学的に透明な接着層を含んでもよい。
【００３８】
第１のスティフナ材料２２０は、可撓性プリント回路２１８を支持してもよいが、同じ量だけ後保護シートから張り出さなくてもよい。光遮断材料２２６は、可撓性電気泳動ディスプレイスタック２００において前保護シート上に配置されているのとは対照的に、集積回路２１４の表面に結合されてもよい。シーラント２３４は、シーラント２１６のように使用されて、集積回路２１４を支持してもよいが、減少が、可撓性電気泳動ディスプレイスタック２３０で使用されてもよい。
【００３９】
ホットメルト保護シート２３６は、前面ラミネート２０４、集積回路２１４および／または光遮断材料２２６、および可撓性プリント回路２１８の一部の上方に配置されてもよい。ホットメルト保護シート２３６は、可撓性電気泳動ディスプレイスタック２３０の構成要素に適合してもよく、いくつかの実施形態では、液体または半液体形態に適用されてもよい。ホットメルト保護シート２３６は、約５０ミクロンの厚さを有してもよく、防湿性、紫外光遮断性、および酸素透過防止性を提供してもよい。ホットメルト保護シートは、電極層に対して積層されてもよく、集積回路２１４に適合されてもよい。可撓性電気泳動ディスプレイスタック２３０は、可撓性電気泳動ディスプレイスタック２００よりも小さい全体の厚さを有してもよい。いくつかの実施形態では、ホットメルト保護シート２３６は、ポリマー基板層および光学的に透明な接着層を有する複合ホットメルト保護シート層であってもよい。電極層（実施例において、前面ラミネート層の一部であってもよい）は、複合ホットメルト保護シート層に結合されてもよい。マイクロカプセル層またはｅ−インク材料層は電極層に結合されてもよく、電極層は、マイクロカプセル層に電圧を印加して、ディスプレイにコンテンツを提示するように構成されてもよい。
【００４０】
いくつかの実施形態では、可撓性電気泳動ディスプレイは、第１の幅を有する可撓性プラスチックＴＦＴ後面（例えば、ポリイミド後面など）を含んでもよい。電気泳動層は可撓性ＴＦＴ後面に結合されてもよく、電極層は電気泳動層に結合されてもよい。電気泳動層は、マイクロカプセル層であってもよく、前面ラミネート構造体の一部であってもよい。集積回路は、可撓性プラスチックＴＦＴ後面上に配置されてもよく、保護シートは、第１の幅以上である第２の幅を有する。保護シートは、可撓性ＴＦＴ後面に対向する可撓性電気泳動ディスプレイの側面の周りに配置されてもよい。可撓性プラスチックＴＦＴ後面はポリイミド材料からなってもよい。
【００４１】
図４は、本開示の１つ以上の実施形態に従った集積回路３１０を備えたディスプレイスタック３００の一部を示す。集積回路３１０は、ドライバ集積回路であってもよく、ディスプレイスタックの１つ以上の電極を駆動してもよい。ディスプレイスタック３００は、前面ラミネート３２０および他の構成要素を含んでもよい。前面ラミネート３２０はポリイミド材料層に結合されてもよい。集積回路３１０は、前面ラミネート３２０に隣接して、しかしそれから離れて、ポリイミド材料層上に配置されてもよい。集積回路３２０は、異方性導電膜（ＡＣＦ）によりポリイミド材料層またはディスプレイスタック３００の別の構成要素に結合されてもよい。ＡＣＦ結合は、可撓性構成要素と硬質構成要素との間の導電接着結合の生成を含んでもよく、約３０ミクロン以下の厚さを有してもよい。例えば、第１のＡＣＦ結合３４０は、集積回路３１０の第１の側面上に形成されてもよく、第２のＡＣＦ結合３５０は、集積回路３１０の第２の側面上に形成されてもよい。いくつかの実施形態では、ＡＣＦ結合３４０、３５０は、可撓性プリント回路に集積回路３１０を結合させてもよい。エポキシ層３６０は、集積回路３１０の周りに位置決めされてもよく、集積回路３１０およびＡＣＦ結合３４０、３５０に適合してもよく、エポキシ材料からなってもよい。エポキシ層３６０は、集積回路３１０の上方に平滑な表面を平坦化または形成するために使用されてもよい。
【００４２】
図５は、本開示の１つ以上の実施形態に従った自己治癒可撓性電気泳動ディスプレイスタック４００を示す。いくつかのまたはすべての構成要素または層が他の実施形態に含まれなくてもよい。異なる実施形態は、追加のもしくはより少ない、または異なる、材料、構成要素、または層を含んでもよい。ディスプレイスタック４００は、グレア防止および／または反射防止材料４０２を含んでもよい。グレア防止および／または反射防止材料層４０２は１つ以上の自己治癒材料層を含んでもよい。いくつかの実施形態では、グレア防止および／または反射防止材料層４０２は複合層であってもよい。例えば、図５に示すように、グレア防止および／または反射防止材料層４０２は、硬質基板層４０６上に配置された自己治癒材料層４０４を含んでもよい。自己治癒材料層４０４は、１つ以上のグレア防止性および／または反射防止性を有してもよい。
【００４３】
プラスチックカバーレンズ４１０は、グレア防止および／または反射防止材料層４０２に結合されてもよい。プラスチックカバーレンズ４１０は、一実施形態では、復号膜であってもよい。例えば、プラスチックカバーレンズ４１０は、三層基板上に配置された任意の自己治癒材料層４１２（例えば、いくつかの実施形態では、個別グレア防止および／または反射防止材料層４０２などが存在しなくてもよい）を含んでもよい。三層基板は、第１のポリメチルメタクリレート（ＰＭＭＡ）層４１４、第２のＰＭＭＡ層４１８、および第１のＰＭＭＡ層４１４と第２のＰＭＭＡ層４１８との間に配置されたポリカーボネート層４１６を含んでもよい。ポリカーボネート層４１６は三層基板のコアを形成してもよい。
【００４４】
第１の光学的に透明な接着層４２０は、プラスチックカバーレンズ４１０とタッチ層４３０との間に配置されてもよい。第１の光学的に透明な接着層４２０は、タッチ層４３０にプラスチックカバーレンズ４１０を結合してもよい。タッチ層４３０は、オレフィンまたは他の材料層であってもよく、ディスプレイスタックとの容量性または抵抗性タッチまたは接触を検出するために使用されてもよい。いくつかの実施形態では、プラスチックカバーレンズは、硬質プラスチック基板層、および硬質プラスチック基板層上に配置された自己治癒材料層を有する複合自己治癒プラスチックカバーレンズであってもよい。自己治癒材料層は、硬質プラスチック基板層とグレア防止材料層との間に位置決めされてもよい。いくつかの実施形態では、自己治癒プラスチックカバーレンズは、プラスチック基板層、グレア防止材料層、およびプラスチック基板層上に配置された自己治癒材料層を有する複合自己治癒プラスチックカバーレンズであってもよい。自己治癒材料層は、プラスチック基板層とグレア防止材料層との間に位置決めされてもよく、または、構造体の外面を形成してもよい。自己治癒材料層は、いくつかの実施形態では、グレア防止材料としての役割を果たしてもよい。例えば、いくつかの自己治癒材料は、ホットエンボス加工されて、グレア防止性を有する表面構造体または表面特徴を形成することができる。例示的な表面特徴は、蓮の葉および他のパターンのような歯または他のテクスチャ表面などの、透明性に影響を与えることなく、光を散乱し、かつグレアを低減する粗化特徴を含んでもよい。自己治癒材料は、ユーザが相互作用することができるカバーレンズ上の第１の層であってもよい。いくつかの実施形態では、プラスチックカバーレンズは、自己治癒材料を含まなくても、または自己治癒性を有しなくてもよい。他の実施形態では、プラスチックカバーレンズは、紫外光遮断コーティング、ＵＶカット材料、または別のＵＶ保護材料などの紫外光遮断材料を含んでもよい。ＵＶ保護材料は、プラスチックカバーレンズの層であってもよく、または、プラスチックカバーレンズの層に一体化されてもよく、ディスプレイスタックのプラスチック構成要素を紫外光への暴露の結果としての黄変効果から保護してもよい。ＵＶ保護材料は、様々なＵＶ光遮断性を有してもよい。例えば、ＵＶ保護材料は、約３６０ｎｍ〜約３７０ｎｍの波長を有する紫外光の２．３％がＵＶ保護材料を透過することを可能にしてもよい。換言すると、ＵＶ保護材料は、波長３６０ｎｍ〜３７０ｎｍについて約２．３％の透過率、波長３７０ｎｍ〜３８０ｎｍの波長について約１０％の透過率、波長３８０ｎｍ〜３９０ｎｍについて約３０％の透過率、および／または、約４４０ｎｍ以上の波長について約７５％の透過率を有してもよい。他の実施形態は異なるＵＶ関連値を有してもよい。
【００４５】
第２の光学的に透明な接着層４４０は、タッチ層４３０とライトガイド４５０との間に配置されてもよい。第３の光学的に透明な接着層４６０は、ライトガイド４５０と可撓性電気泳動表示層４７０との間に配置されてもよい。いくつかの実施形態では、タッチセンサ層はライトガイドに一体化されてもよい。例えば、タッチセンサ層は、ライトガイド４５０の表面上の光学的パターニングにより少なくとも一部が形成されてもよい。他の実施形態では、タッチセンサ層は、プラスチックカバーレンズ４１０の「底」面または下面に一体化されてもよい。
【００４６】
可撓性電気泳動表示層４７０は、複数の可撓性電気泳動表示の実施形態を含んでもよい。例えば、図５では、可撓性電気泳動表示層４７０はホットメルト保護シート４７２を含んでもよい。いくつかの実施形態では、ホットメルト保護シート４７２は、複合シートであってもよく、光学的に透明な接着層４７６上に配置された複合ポリマー４７４（自己治癒材料からなってもよい）を含んでもよい。他の実施形態は、異なる特性を有する異なる種類のホットメルト保護シートを含んでもよい。
【００４７】
ホットメルト保護シート４７２は、ディスプレイスタック４００についてのタッチ検出を容易にし得る、ＰＥＴインジウム錫酸化物電極層４８０に隣接して位置決めされてもよい。ＰＥＴインジウム錫酸化物電極層４８０は、電極または電荷に対して反応するように構成された複数のポリウレタンまたは他のマイクロカプセルを有するｅ−インクであってもよい、マイクロカプセル層４８２に結合されてもよい。マイクロカプセル層４８２は、誘電性溶媒（例えば、高誘電率、低粘度懸濁媒体）および誘電性溶媒全体にわたって分散された帯電粒子を含んでもよい。帯電粒子は異なる色（例えば、白、黒および／または着色粒子の組み合わせ）を有してもよい。白色粒子およびカラー粒子、または白色粒子および黒色粒子は、それらに印加される電界に応じて誘電性溶媒内で移動してもよい。ディスプレイ上に白黒画像を生成するモノタイプディスプレイスタックについて、マイクロカプセル層４８２は白色粒子および黒色粒子を含んでもよい。カラー画像を生成するように構成されたディスプレイスタックについて、マイクロカプセル層４８２は白色粒子およびカラー粒子を含んでもよい。いくつかの実施形態では、マイクロカプセル層４８２は、約４００ミクロン以下、約３５０ミクロン以下、約３００ミクロン以下、約３００ミクロン以下、約２５０ミクロン以下、約２００ミクロン以下、約１５０ミクロン以下、約１２０ミクロン以下、約１００ミクロン以下、約８０ミクロン以下、または約６０ミクロン以下である膜厚を有してもよい。
【００４８】
ＰＥＴインジウム錫酸化物電極層４８０はポリイミドＴＦＴ層４８４に結合されてもよい。ポリイミドＴＦＴ層４８４は、１つ以上のトランジスタと共に活性領域を画定してもよい。ポリイミドＴＦＴ層４８４は、電界を提供して、画像をディスプレイ上に形成させ得る、マイクロカプセル層４８２内の荷電粒子の動きに影響を与えるように構成されてもよい。すなわち、ポリイミドＴＦＴ層４８４の表面上の電極に電気信号が印加される場合、電界が、ポリイミドＴＦＴ層４８４とマイクロカプセル層４８２との間に発生されてもよい。発生された電界は、画像または他のコンテンツが装置のディスプレイ上に生成され得るように、荷電粒子（例えば、白色、黒色、灰色、および／またはカラー粒子）をマイクロカプセル層４８２内で移動させてもよい。
【００４９】
パッシブマトリクスディスプレイを用いる実施形態では、ポリイミドＴＦＴ層４８４は行電極形成されてもよく、透明導電層またはマイクロカプセル層４８２は列電極を含んでもよく、その逆であってもよい。アクティブマトリクスディスプレイを用いる実施形態では、ポリイミドＴＦＴ層４８４は１つ以上の画素電極を含んでもよく、マイクロカプセル層４８２は、インジウム錫酸化物の均一な層などの均一な透明電極を含んでもよい。セグメント化電極ディスプレイの実施形態では、セグメント化電極は、ポリイミドＴＦＴ層４８４などの基板上に備えられてもよく、各々が所望の電圧により独立に駆動されて、いわゆる「直接駆動」スキームにおいて所望の光学状態を与えてもよい。そのような実施形態では、マイクロカプセル層４８２は均一な透明電極を含んでもよい。ポリイミドＴＦＴ層４８４は、ハウジング１０２の実質的に平坦な部分またはプラットフォーム上に配置されてもよい。ポリイミドＴＦＴ層４８４はまた、セグメント化ディスプレイなどのそれ自体に接続された各電極を有するパターン化電極のセットを含んでもよい。
【００５０】
任意の後保護シート４８６は、ポリイミドＴＦＴ層４８４またはＴＦＴ後面に結合されても、またはそれに隣接して位置決めされてもよく、ポリイミドＴＦＴ層４８４および／またはディスプレイスタック４００を支持してもよい。自己治癒可撓性電気泳動ディスプレイスタック４００は、例えば、暗色ハウジングまたは淡色ハウジングを備えた装置で使用されてもよい。硬質シーラント材料は、いくつかの実施形態では、可撓性プラスチックＴＦＴ後面の少なくとも１つのエッジに隣接する後保護シート上に配置されてもよい。
【００５１】
図６は、本開示の１つ以上の実施形態に従った自己治癒可撓性電気泳動ディスプレイスタック５００を示す。自己治癒可撓性電気泳動ディスプレイスタック５００は、示されている実施形態において３つの構成要素を含んでもよい。特に、保護シート５１０は前面ラミネート５３０に結合されてもよい。前面ラミネート５３０は、ＴＦＴ後面およびドライバ層５５０に結合されてもよい。
【００５２】
保護シート５１０は、保護シート５１０の外面上に反射防止および／またはグレア防止材料層５１２を含んでもよい。反射防止および／またはグレア防止材料層５１２はＰＥＴ層５１４上に配置されてもよい。軟接着層５１６は、反射防止および／またはグレア防止材料層５１２に対向するＰＥＴ層５１４の側面上に位置決めされてもよい。バリア膜層５１８は、軟接着層５１６上に配置され、ＰＥＴ層５１４に結合されてもよい。無機コーティング５２０はバリア膜層５１８上に配置されてもよい。
【００５３】
前面ラミネート５３０は、ｅ−インク層であってもよく、電極間に配置された１つ以上のマイクロカプセルを含んでもよい。例えば、前面ラミネート５３０は、上部透明電極５３２および下部電極５３４を含んでもよい。複数のマイクロカプセル５３６は、上部透明電極５３２と下部電極５３４との間に配置されてもよい。マイクロカプセル５３６の１つ以上または各々は、正荷電黒色顔料５３８および／または負荷電白色顔料５４０を含んでもよい。黒色顔料５３８および白色顔料５４０は、それぞれのマイクロカプセル５３６中の透明な流体５４２中に配置または沈埋されてもよい。いくつかの実施形態では、マイクロカプセル５３６は、下位カプセルアドレス化されて、解像度を高くしても、および／または表示能力を改善してもよい。下位カプセルアドレス化マイクロカプセル５４４が図６に示されている。
【００５４】
ＴＦＴ後面およびドライバ層５５０は、ゲートドライバおよび選択／行ライン５５２を含んでもよく、ソースドライバおよびデータ／列ライン５５４も含んでもよい。ＴＦＴ後面およびドライバ層５５０は、前面ラミネート５３０の１つ以上の構成要素を駆動して、ディスプレイスタック５００上にコンテンツを提示してもよい。
【００５５】
図７〜８は、本開示の１つ以上の実施形態に従った自己治癒可撓性電気泳動ディスプレイを備えた電子装置を示す。図７では、装置６００は自己治癒可撓性電気泳動ディスプレイ６１０を含んでもよい。自己治癒可撓性電気泳動ディスプレイ６１０は、前保護シート６１２、前面ラミネート６１４、ポリイミド材料層６１６、および後保護シート６１８を含んでもよい。
【００５６】
装置６００は、１つ以上の光学的に透明な接着層６２２により自己治癒可撓性電気泳動ディスプレイ６１０に結合されたカバーレンズ６２０を含んでもよい。装置６００は、ドライバ集積回路６２４および可撓性プリント回路６２６を含んでもよい。エポキシシール６２８はドライバ集積回路６２４の周りに配置されてもよい。
【００５７】
組み立て時に可撓性プリント回路６２６を支持するために、両面テープ６３０の一部が、カバーレンズ６２０に可撓性プリント回路６２６を結合させるために使用されてもよい。両面テープ６３０は、可撓性プリント回路６２６を固定してもよく、組立時および組立後に安定性を提供してもよい。
【００５８】
図８では、自己治癒可撓性電気泳動ディスプレイ６６０を備えた装置６５０の別の実施形態が示されている。図８では、自己治癒可撓性電気泳動ディスプレイ６６０は、１つ以上の光学的に透明な接着層６６６により前面ラミネート６６４に結合された前保護シート６６２を含んでもよい。前面ラミネート６６４はポリイミド層６６８に結合されてもよい。ポリイミド層６６８は後保護シート６７０上に配置されてもよい。後保護シート６７０は、装置６５０の中間フレーム６７２に取り付けられてもまたは固定されてもよい。
【００５９】
ドライバ集積回路６７４は、前面ラミネート６６４に隣接するポリイミド層６６８上に配置されてもよい。硬質シーラント６７６の１つ以上の部分は、ドライバ集積回路６７４の１つ以上の側面またはエッジに沿って配置されてもよい。追加シーラントおよび／またはスティフナ材料は、前面ラミネート６６４に隣接して位置決めされた第２のシーラント部分６７８を含んでもよく、ポリイミド層６６８上に配置されてもよい。第３のシーラント部分６８０は、前保護シート６６２に隣接して配置され、かつ可撓性プリント回路６８２上に配置されてもよい。第４のシーラント部分６８４またはスティフナは、第３のシーラント部分６８０に対向する可撓性プリント回路６８２の側面上に配置されてもよい。第４のシーラント部分６８４は、後保護シート６７０から距離６８６だけ張り出してもよい。両面テープ６８８の一部は、装置６５０のカバーレンズ６９０に可撓性プリント回路６８２を結合させるために使用されてもよい。両面テープ６８８は、張り出し距離６８６よりも大きい幅６９２を有してもよい。
【００６０】
図９は、本開示の１つ以上の実施形態に従った電子装置７００において位置決めされた自己治癒可撓性電気泳動ディスプレイアセンブリ７１０を示す。装置７００は、装置７００の動作時にユーザによって保持されるように構成されたグリップ部分７０４と、グリップ部分７０４に比べて相対的に薄くてもよいブレード部分７０６とを備えたハウジング７０２を含んでもよい。ハウジング７０２は１つ以上の材料からなってもよい。例えば、ハウジング７０２はアルミニウムからなってもよい一方、ハウジングの別の部分７０８はプラスチックからなってもよい。ゴムリング７１２は、プラスチックからなるハウジングの部分７０８内に位置決めされてもよい。
【００６１】
プラスチックカバーレンズ７１４は、装置７００の外面を形成してもよい。プラスチックカバーレンズ７１４は、例えば、光学的に透明な接着剤を用いて、自己治癒可撓性電気泳動ディスプレイアセンブリ７１０に結合されてもよい。自己治癒可撓性電気泳動ディスプレイアセンブリ７１０は、接着剤７１６を用いて装置７００のハウジング７０２に接着されてもよい。自己治癒可撓性電気泳動ディスプレイアセンブリ７１０はガラスを含んでいないために、および、自己治癒可撓性電気泳動ディスプレイアセンブリ７１０の可撓性および耐破砕性のために、自己治癒可撓性電気泳動ディスプレイアセンブリ７１０は、接着剤７１６を用いて装置７００のハウジング７０２に取り付けられてもよい。
【００６２】
電池７２０は、接着剤７２２でグリップ部分７０４においてハウジング７０２に接着されてもよい。アンテナアセンブリ７２４は、電池７２０に隣接するグリップ部分７０４において位置決めされてもよい。エポキシシールド７２８は、電池７２０上に配置されてもよく、可撓性プリント回路７３０と接していてもよい。ページめくりボタンアセンブリ７３２は、カバーレンズ７１４に隣接して配置されてもよい。接着剤７３４は、ハウジング７０２の一部または装置７００の別の構成要素にカバーレンズ７１４を固定してもよい。
【００６３】
図１０は、本開示の１つ以上の実施形態に従った保護シートを製造する例示的な模式的プロセスフローである。第１のステップ７５０では、ポリイミド膜７５２がキャリアガラス７５４上に備えられる。キャリアガラス７５４はポリマーでコーティングされてもよい。第２のステップ７６０では、表示機能層がポリイミド膜７５２上に形成される。例えば、ＴＦＴマトリクス層７５６および電気泳動層７５８がポリイミド膜７５２に結合される。第３のステップ７７０では、表示層がキャリアガラス７５４から接着解除される。第４のステップ７８０では、ポリマー膜上の可撓性表示がキャリアガラスなしで形成される。この構造体からガラスを取り除く結果として、構造体の組み立て重量が軽減されてもよく、構造体の可撓性が高められてもよい。したがって、構造体を組み込んでいる装置は、より薄く、軽く、かつ信頼性および耐久性が高くあり得る。
【００６４】
図１１〜１３は、本開示の１つ以上の実施形態に従った白色マスクスタックの断面図の模式図である。白色マスクスタックは、白色などの淡色のハウジングを有する装置、または光漏れが装置の使用に影響を与える装置のために使用されてもよい。
【００６５】
第１の実施形態８００は、第１の光学的に透明な接着層８０４が構成要素のセットにディスプレイスタック８０２を結合し、構成要素のいくつかが装置についてのカバーレンズを集合的に形成してもよい、ディスプレイスタック８０２を含む。特に、第１の光学的に透明な接着層８０４は、ポリカーボネート層８０６にディスプレイスタック８０２を結合してもよい。第２の光学的に透明な接着層８０８は、光学的に透明な平坦化コーティング層８１０にポリカーボネート層８０６を結合してもよい。光学的に透明な平坦化コーティング層８１０は、紫外光遮断性またはフィルタリング性を有するＰＥＴ層８１２に結合されてもよい。グレア防止コーティング８１４は、自己治癒材料を含んでもよく、ＰＥＴ層８１２に結合されてもよい。
【００６６】
光学的に透明な平坦化コーティング層８１０は、１つ以上の乾燥白色インク層および１つ以上の乾燥黒色インク層を含む白色マスクの層を平坦化するために使用されてもよい。例えば、乾燥白色インク層のセット８２０は、ＰＥＴ層８１２の表面に結合されてもよい。乾燥白色インク層８２０は、ＰＥＴ層８１２の外周の周りに位置決めされてもよい。乾燥黒色インク層のセット８２２は、乾燥白色インク層８２０に結合されてもよい。白色マスクは、乾燥黒色インク層８２２よりも多い乾燥白色インク層８２０を含んでもよい。他のインクの色が、相対的に淡色の層よりスタックにおいて「より下方に」位置決めされた相対的に暗色の層と共に使用されてもよい。黒色インク層８２４は、白色マスクのエッジの周りに配置されて、装置ハウジングのエッジの周りの光漏れを防止してもよい。
【００６７】
ＰＥＴ層８１２は約７５ミクロンの厚さを有してもよく、光学的に透明な平坦化コーティング層８１０は約３０〜５０ミクロンの厚さを有してもよく、第２の光学的に透明な接着層８０８は約１００ミクロンの厚さを有してもよく、ポリカーボネート層８０６は約０．４〜約０．５ミリメートルの厚さを有してもよい。したがって、第１の実施形態８００における白色マスクは、白色マスクなしの他のアセンブリに対して約１００〜約２５０ミクロンの厚さの増加を有してもよい。
【００６８】
第２の実施形態８３０では、ディスプレイスタック８０２および第１の光学的に透明な接着層８０４が含まれてもよい。しかしながら、乾燥白色インク層８２０および乾燥黒色インク層８２２は第１の光学的に透明な接着層８０４において位置決めされてもよく、平坦化層は含まれなくてもよい。第１の光学的に透明な接着層８０４は、第２の実施形態において約１７５ミクロンの厚さを有してもよい。乾燥白色インク層８２０は、約５０ミクロンの厚さを有するＰＥＴ層８３２に結合されてもよい。接着層８３４は、乾燥白色インク層８２０に対向するＰＥＴ層８３２上に配置されてもよい。低インデックスコーティング層８３６は、接着層８３４上に配置されてもよく、約２ミクロンの厚さを有してもよい。低インデックスコーティング層８３６は、実施例において、約１．０００２９３ｎｍなどの、約１．０以上かつ約１．２８以下の屈折率を有する低屈折率材料であってもよい。低インデックスコーティング層８３６は、空気で満たされたガラスの中空を備えた低屈折率材料であってもよく、中空は約６０ｎｍの厚さを有する。別の実施形態では、中空は、シリコーンまたはアクリル樹脂層中のシリカ中空であってもよい。
【００６９】
接着層８３４は、低インデックスコーティング層８３６を支持してもよい。共押し出し三層プラスチックカバーレンズ８３８は、低インデックスコーティング層８３６に隣接して位置決めされてもよい。共押し出し三層プラスチックカバーレンズ８３８は、第１のＰＭＭＡ層、ポリカーボネート層、および第２のＰＭＭＡ層を含んでもよく、ポリカーボネート層は、第１のＰＭＭＡ層と第２のＰＭＭＡ層との間に配置される。グレア防止コーティング８１４は、共押し出し三層プラスチックカバーレンズ８３８上に配置されてもよい。第２の実施形態８３０は、共押し出し三層プラスチックカバーレンズ８３８のエッジに沿ってエッジインク層８４０を含んでもよく、エッジインク層８４０は、第１の実施形態８００とは異なり、アセンブリ下の縦方向に延びなくてもよい。第２の実施形態８３０は、第１の実施形態８００よりもわずかに広くてもよく、共押し出し三層プラスチックカバーレンズ８３８は、ディスプレイスタック８０２よりも大きい幅を有してもよい。第２の実施形態８３０は、白色マスクなしで他の装置よりも厚い約７０ミクロン〜約１２０ミクロンである全体の厚さを有してもよい。
【００７０】
第３の実施形態８５０は、第２の実施形態８３０に類似してもよいが、異なる配置および構造体を有してもよい。例えば、第３の実施形態８５０では、ディスプレイスタック８０２は、第１の光学的に透明な接着層８０４に結合されてもよく、乾燥白色インク層８２０および乾燥黒色インク層８２２は、第１の光学的に透明な接着層８０４に隣接して配置されてもよい。
【００７１】
低インデックスコーティング層８３６は、共押し出し三層プラスチックカバーレンズ８３８に隣接することに代えて、第１の光学的に透明な接着層８０４に隣接して位置決めされてもよい。約７〜１０ミクロンの厚さを有するアクリル層８５２が、低インデックスコーティング層８３６に隣接して位置決めされてもよい。約１０ミクロンの厚さを有する接着層８５４（第２の実施形態８３０における２０ミクロンの厚さの接着層８３４とは対照的に）は、アクリル層８５２に隣接して位置決めされてもよい。共押し出し三層プラスチックカバーレンズ８３８は、接着層８５４に隣接して位置決めされてもよい。グレア防止層８１４は、共押し出し三層プラスチックカバーレンズ８３８上に配置されてもよく、エッジインク層８４０は、共押し出し三層プラスチックカバーレンズ８３８のエッジ面に沿って配置されてもよい。
【００７２】
図１〜１３の方法、プロセスフローまたは使用事例の１つ以上の動作は、ユーザ装置によって、またはより具体的には、装置上で実行する１つ以上のプログラムモジュール、アプリケーションなどによって実行されるように上記に記載されていてもよい。しかしながら、図１〜１３の方法、プロセスフロー、または使用事例の動作のいずれかは、１つ以上の他の装置、またはより具体的には、そのような装置上で実行する１つ以上のプログラムモジュール、アプリケーションなどにより上記の様式で少なくとも一部が実行されてもよいことが理解される必要がある。さらに、アプリケーション、プログラムモジュールなどの一部として提供されるコンピュータ実行可能命令の実行に応答して実行される処理が、アプリケーションまたはプログラムモジュール自体によって、またはアプリケーション、プログラムモジュールなどが実行している装置によって実行されるように、本明細書では互換的に記載されていてもよい。図１〜１３の方法、プロセスフローまたは使用事例の１つ以上の動作について、例示的な装置のコンテキストにおいて記載されている一方、そのような動作が多くの他の装置構成において実行されてもよいことが理解される必要がある。
【００７３】
例示的な図１〜１３の方法、プロセスフローまたは使用事例において記載または図示されている動作は、本開示の様々な例示的な実施形態で記載されているような、示されている順序などの、所望の任意の適切な順序で実行または実施されてもよい。さらに、特定の例示的な実施形態では、動作の少なくとも一部は並列に実行されてもよい。さらに、特定の例示的な実施形態では、図１〜１３に示されているものよりも少ない、多いまたはそれらと異なる動作が実行されてもよい。
【００７４】
本開示の特定の実施形態について記載されているが、当業者は、多くの他の修正および代替実施形態が本開示の範囲内にあることを理解するであろう。例えば、特定の装置または構成要素に関して記載されている機能性および／または処理能力のいずれも、任意の他の装置または構成要素によって実行されてもよい。さらに、様々な例示的な実装およびアーキテクチャについて、本開示の実施形態に従って記載されているが、当業者は、本明細書に記載されている例示的な実装およびアーキテクチャに対する多くの他の修正も本開示の範囲内にあることを理解するであろう。
【００７５】
本開示の特定の態様について、例示的な実施形態に従ったシステム、方法、装置、および／またはコンピュータプログラム製品のブロック図およびフロー図を参照して上記に記載されている。ブロック図およびフロー図の１つ以上のブロック、ならびにブロック図およびフロー図における組み合わせがそれぞれ、コンピュータ実行可能プログラム命令の実行によって実施されてもよいことが理解されるであろう。同様に、ブロック図およびフロー図のいくつかのブロックは、提示された順序で実行される必要は必ずしもなくてもよく、または、いくつかの実施形態に従って全く実行される必要は必ずしもなくてもよい。さらに、ブロック図および／またはフロー図のブロックに示されているもの以外の追加の構成要素および／または動作が特定の実施形態において存在してもよい。
【００７６】
したがって、ブロック図およびフロー図のブロックは、特定の機能を実行するための手段の組み合わせ、特定の機能を実行するための要素またはステップの組み合わせ、および特定の機能を実行するためのプログラム命令手段をサポートする。ブロック図およびフロー図の各ブロック、ならびにブロック図およびフロー図におけるブロックの組み合わせが、特定の目的、特定の機能、要素もしくはステップを実行するハードウェアベースのコンピュータシステム、または特定目的ハードウェアおよびコンピュータ命令の組み合わせによって実行されてもよいことも理解されるであろう。
【００７７】
例示的コンピュータアーキテクチャ
図１４は、本開示の１つ以上の例示的な実施形態に従った１つ以上の例示的な電子装置９００の模式的なブロック図である。電子装置９００は、サーバシステム、スマートフォン、タブレット、ｅ−リーダ、ウェアラブル装置などのモバイル装置、デスクトップコンピュータ、ラップトップコンピュータ、コンテンツストリーミング装置、セットトップボックス、スキャン装置、バーコードスキャンワンドなどを含むが、それらに限定されない、任意の適切なコンピュータ装置を含んでもよい。電子装置９００は、図１〜１３の装置についての例示的な装置構成に対応してもよい。
【００７８】
電子装置９００は、１つ以上のサーバ、ユーザ装置などと通信するように構成されてもよい。電子装置９００は、音声コマンドを決定し、ウェイクワード発話を決定し、デジタルコンテンツを提示し、他の装置および他の動作を決定および／または制御するように構成されてもよい。
【００７９】
電子装置９００は、１つ以上のネットワークを介して通信するように構成されてもよい。そのようなネットワークは、例えば、ケーブルネットワーク、パブリックネットワーク（例えば、インターネット）、プライベートネットワーク（例えば、フレーム中継ネットワーク）、無線ネットワーク、セルラーネットワーク、電話ネットワーク（例えば、公衆交換電話ネットワーク）、または他の適切なプライベートもしくはパブリックパケット交換もしくは回路交換ネットワークなどの任意の１つ以上の異なるタイプの通信ネットワークを含んでもよいが、それらに限定されるものではない。さらに、そのようなネットワークは、それに関連する任意の適切な通信範囲を有してもよく、例えば、グローバルネットワーク（例えば、インターネット）、メトロポリタンエリアネットワーク（ＭＡＮ）、ワイドエリアネットワーク（ＷＡＮ）、ローカルエリアネットワーク（ＬＡＮ）またはパーソナルエリアネットワーク（ＰＡＮ）を含んでもよい。さらに、そのようなネットワークは、同軸ケーブル、ツイストペアワイヤ（例えば、ツイストペア銅ワイヤ）、光ファイバ、ハイブリッドファイバ同軸（ＨＦＣ）媒体、マイクロ波媒体、無線周波通信媒体、衛星通信媒体またはそれらの任意の組み合わせを含むが、それらに限定されない、任意の適切なタイプの媒体を通じてネットワークトラフィックを伝送する通信リンクおよび関連ネットワーキング装置（例えば、リンク層スイッチ、ルータなど）を含んでもよい。
【００８０】
例示的な構成において、電子装置９００は、１つ以上のプロセッサ９０２、１つ以上のメモリ装置９０４（本明細書ではメモリ９０４とも呼ばれる）、１つ以上の入力／出力（Ｉ／О）インターフェース９０６、１つ以上のネットワークインターフェース９０８、１つ以上のセンサまたはセンサインターフェース９１０、１つ以上のトランシーバ９１２、１つ以上のディスプレイスタック９１４、１つ以上の任意のマイクロフォン９１６、およびデータ記憶装置９２０を含んでもよい。電子装置９００は、電子装置９００の様々な構成要素を機能的に結合させる１つ以上のバス９１８をさらに含んでもよい。電子装置９００は、信号をセルラネットワークインフラストラクチャに送信する／それから受信するセルラアンテナ、Ｗｉ−Ｆｉ信号をアクセスポイント（ＡＰ）に送信する／またはそれから受信するアンテナ、ＧＮＳＳ衛星からＧＮＳＳ信号を受信するグローバルナビゲーション衛星システム（ＧＮＳＳ）アンテナ、Ｂｌｕｅｔｏｏｔｈ信号を送受信するＢｌｕｅｔｏｏｔｈアンテナ、ＮＦＣ信号を送受信する近距離無線通信（ＮＦＣ）アンテナなどを含むが、それらに限定されない、１つ以上のアンテナ９２６をさらに含んでもよい。これらの様々な構成要素については、以下でより詳細に説明する。
【００８１】
バス９１８は、システムバス、メモリバス、アドレスバス、またはメッセージバスのうちの少なくとも１つを含んでもよく、電子装置９００の様々な構成要素間での情報（例えば、データ（コンピュータ実行可能コードを含む）、シグナリングなど）の交換を可能にしてもよい。バス９１８は、メモリバスまたはメモリコントローラ、周辺バス、アクセラレイティドグラフィックポートなどを含んでもよいが、それらに限定されるものではない。バス９１８は、業界標準アーキテクチャ（ＩＳＡ）、マイクロチャネルアーキテクチャ（ＭＣＡ）、高性能ＩＳＡ（ＥＩＳＡ）、ビデオエレクトロニクススタンダーズアソシエーション（ＶＥＳＡ）アーキテクチャ、アクセラレーテッドグラフィックスポート（ＡＧＰ）アーキテクチャ、ペリフェラルコンポーネントインターコネクト（ＰＣＩ）アーキテクチャ、ＰＣＩエクスプレスアーキテクチャ、Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ（ＰＣＭＣＩＡ）アーキテクチャ、ユニバーサルシリアルバス（ＵＳＢ）アーキテクチャなどを含むが、それらに限定されない、任意の適切なバスアーキテクチャに関連付けられてもよい。
【００８２】
電子装置９００のメモリ９０４は、ランダムアクセスメモリ（ＲＡＭ）などの揮発性メモリ（電力が供給されるときに、その状態を維持するメモリ）および／または読み出し専用メモリ（ＲＯＭ）、フラッシュメモリ、強誘電体メモリ（ＦＲＡＭ（登録商標））などの不揮発性メモリ（電力が供給されないときでさえ、その状態を維持するメモリ）を含んでもよい。持続的データ記憶は、その用語が本明細書で使用される場合、不揮発性メモリを含んでもよい。特定の例示的な実施形態では、揮発性メモリは、不揮発性メモリよりも速く読み出し／書き込みアクセスできてもよい。しかしながら、特定の他の例示的な実施形態では、特定の種類の不揮発性メモリ（例えば、ＦＲＡＭ（登録商標））は、特定の種類の揮発性メモリよりも速く読み出し／書き込みアクセスできてもよい。
【００８３】
様々な実施形態では、メモリ９０４は、様々な種類のスタティックランダムアクセスメモリ（ＳＲＡＭ）、様々な種類のダイナミックランダムアクセスメモリ（ＤＲＡＭ）、様々な種類の改変不能ＲＯＭ、および／または電気的消去可能プログラマブル読み出し専用メモリ（ＥＥＰＲＯＭ）、フラッシュメモリなどのＲＯＭの書き込み可能な変形などの複数の異なる種類のメモリを含んでもよい。メモリ９０４は、メインメモリ、ならびに命令キャッシュ、データキャッシュ、変換索引バッファ（ＴＬＢ）などの様々な形態のキャッシュメモリを含んでもよい。さらに、データキャッシュなどのキャッシュメモリは、１つ以上のキャッシュレベル（Ｌ１、Ｌ２など）の階層として組織されたマルチレベルキャッシュであってもよい。
【００８４】
データ記憶装置９２０は、磁気記憶装置、光ディスク記憶装置、および／またはテープ記憶装置を含むが、それらに限定されない、リムーバブル記憶装置および／または非リムーバブル記憶装置を含んでもよい。データ記憶装置９２０は、コンピュータ実行可能命令および他のデータの不揮発性記憶装置を提供してもよい。リムーバブルおよび／または非リムーバブルメモリ９０４およびデータ記憶装置９２０は、その用語が本明細書で使用される場合、コンピュータ読み取り可能な記憶媒体（ＣＲＳＭ）の例である。
【００８５】
データ記憶装置９２０は、メモリ９０４にロード可能なおよびプロセッサ９０２により実行可能なコンピュータ実行可能コード、命令などを記憶して、プロセッサ９０２に様々な動作を実行または開始させてもよい。データ記憶装置９２０は、コンピュータ実行可能命令の実行時にプロセッサ９０２による使用のためのメモリ９０４にコピーされてもよいデータをさらに記憶してもよい。さらに、プロセッサ９０２によってコンピュータ実行可能命令の実行の結果として生成される出力データは、最初にメモリ９０４に記憶されてもよく、不揮発性記憶装置についてのデータ記憶装置９２０に最後にコピーされてもよい。
【００８６】
より具体的には、データ記憶装置９２０は、１つ以上のオペレーティングシステム（Ｏ／Ｓ）９２２、１つ以上のデータベース管理システム（ＤＢＭＳ）９２４、および１つ以上のプログラムモジュール、アプリケーション、エンジン、コンピュータ実行可能コード、スクリプトなどを記憶してもよい。いくつかのまたはすべてのこれらのモジュールはサブモジュールであってもよい。データ記憶装置９２０に記憶されているとして示されているコンピュータのいずれも、ソフトウェア、ファームウェア、および／またはハードウェアの任意の組み合わせを含んでもよい。ソフトウェアおよび／またはファームウェアは、１つ以上のプロセッサ９０２による実行のためのメモリ９０４にロードされてもよいコンピュータ実行可能コード、命令などを含んでもよい。データ記憶装置９２０に記憶されているとして示されているコンピュータのいずれも、本開示で既に名前付けされた対応する構成要素を参照して記載されている機能性をサポートしてもよい。
【００８７】
データ記憶装置９２０は、電子装置９００の構成要素によって利用される種々の種類のデータをさらに記憶してもよい。データ記憶装置９２０に記憶されているいずれのデータも、コンピュータ実行可能コードの実行でプロセッサ９０２による使用のためのメモリ９０４にロードされてもよい。さらに、データ記憶装置９２０に記憶されているとして示されているデータのいずれも、１つ以上のデータストアに潜在的に記憶されてもよく、ＤＢＭＳ９２４を介してアクセスされ、かつコンピュータ実行可能コードの実行においてプロセッサ９０２による使用のためのメモリ９０４にロードされてもよい。データストアは、データベース（例えば、リレーショナル、オブジェクト指向など）、ファイスシステム、フラットファイル、コンピュータネットワークの１つ以上のノードにデータが記憶されている分散データストア、ピアツーピアネットワークデータストアなどを含んでもよいが、それらに限定されるものではない。
【００８８】
プロセッサ９０２は、メモリ９０４にアクセスし、それにロードされるコンピュータ実行可能命令を実行するように構成されてもよい。例えば、プロセッサ９０２は、電子装置９００の様々なプログラムモジュール、アプリケーション、エンジンなどのコンピュータ実行可能命令を実行して、様々な動作を本開示の１つ以上の実施形態に従って実行させるまたは実行させることを容易にするように構成されてもよい。プロセッサ９０２は、入力としてのデータを受け取ること、記憶しているコンピュータ実行可能命令に従って入力データを処理すること、および出力データを生成することを可能にする任意の適切な処理装置を含んでもよい。プロセッサ９０２は、中央処理装置、マイクロプロセッサ、縮小命令セットコンピュータ（ＲＩＳＣ）マイクロプロセッサ、複合命令セットコンピュータ（ＣＩＳＣ）マイクロプロセッサ、マイクロコントローラ、特定用途向け集積回路（ＡＳＩＣ）、フィールドプログラマブルゲートアレイ（ＦＰＧＡ）、システムオンアチップ（ＳｏＣ）、デジタル信号プロセッサなどを含むが、それらに限定されない、任意の種類の適切な処理装置を含んでもよい。さらに、プロセッサ９０２は、例えば、レジスタ、マルチプレクサ、論理演算装置、キャッシュメモリに対する読み出し／書き込み動作を制御するキャッシュコントローラ、ブランチプレディクタなどの任意の数の構成部品を含む任意の適切なマイクロアーキテクチャ設計を有してもよい。プロセッサ９０２のマイクロアーキテクチャ設計は様々な命令セットのいずれもサポートできてもよい。
【００８９】
データ記憶装置９２０に記憶されているとして示されている他の例示的な構成要素をここで参照すると、Ｏ／Ｓ９２２は、データ記憶装置９２０からメモリ９０４にロードされてもよく、電子装置９００で実行される他のアプリケーションソフトウェアと電子装置９００のハードウェアリソースとの間のインターフェースを提供してもよい。より具体的には、Ｏ／Ｓ９２２は、電子装置９００のハードウェアリソースを管理し、他のアプリケーションプログラムに共通のサービス（例えば、様々なアプリケーションプログラム間のメモリ割り当ての管理）を提供するためのコンピュータ実行可能命令のセットを含んでもよい。特定の例示的な実施形態では、Ｏ／Ｓ９２２は、他のプログラムモジュールの実行を制御してもよい。Ｏ／Ｓ９２２は、現在既知の任意のオペレーティングシステムを含んでもよく、または、任意のサーバオペレーティングシステム、任意のメインフレームオペレーティングシステム、または任意のプロプライエタリもしくは非プロプライエタリオペレーティングシステムを含んで将来開発されてもよいが、それらに限定されるものではない。
【００９０】
ＤＢＭＳ９２４は、メモリ９０４にロードされてもよく、メモリ９０４に記憶されているデータおよび／またはデータ記憶装置９２０に記憶されているデータにアクセス、それらを検索、記憶および／または操作するための機能性をサポートしてもよい。ＤＢＭＳ９２４は、様々なデータベースモデル（例えば、リレーショナルモデル、オブジェクトモデルなど）のいずれも使用してもよく、様々なクエリ言語のいずれもサポートしてもよい。ＤＢＭＳ９２４は、１つ以上のデータスキームで表現され、かつ、データベース（例えば、リレーショナル、オブジェクト指向など）、ファイルシステム、フラットファイル、コンピュータネットワークの１つ以上のノードにデータが記憶されている分散データストア、ピアツーピアネットワークデータストアなどを含んでもよいが、それらに限定されない任意の適切なデータリポジトリに記憶された、データにアクセスしてもよい。電子装置９００がモバイル装置である、それらの例示的な実施形態では、ＤＢＭＳ９２４は、モバイル装置での実行のために最適化された任意の適切な軽量のＤＢＭＳであってもよい。
【００９１】
ここで電子装置９００の他の例示的な構成要素を参照すると、入力／出力（Ｉ／Ｏ）インターフェース９０６は、１つ以上のＩ／Ｏ装置からの電子装置９００による入力情報および電子装置９００から１つ以上のＩ／Ｏ装置への情報の出力の受信を容易にしてもよい。Ｉ／Ｏ装置は、タッチ面またはタッチスクリーンを有するディスプレイまたは表示スクリーン、スピーカなどの音声を発生させるオーディオ出力装置、マイクロフォンなどのオーディオキャプチャ装置、カメラなどの画像および／または映像キャプチャ装置、触覚装置などの様々な構成要素のいずれかを含んでもよい。これらの構成要素のいずれも、電子装置９００に一体化されてもよく、または、別個であってもよい。Ｉ／Ｏ装置は、例えば、データ記憶装置、プリント装置などの任意の数の周辺装置をさらに含んでもよい。
【００９２】
Ｉ／Ｏインターフェース９０６はまた、１つ以上のネットワークに接続してもよいユニバーサルシリアルバス（ＵＳＢ）、ＦｉｒｅＷｉｒｅ、サンダーボルト、イーサネットポートまたは他の接続プロトコルなどの外部周辺装置接続のためのインターフェースを含んでもよい。Ｉ／Ｏインターフェース９０６はまた、無線ローカルエリアネットワーク（ＷＬＡＮ）（Ｗｉ−Ｆｉなど）無線、Ｂｌｕｅｔｏｏｔｈ、ＺｉｇＢｅｅ、および／またはロングタームエボリューション（ＬＴＥ）ネットワーク、ＷｉＭＡＸネットワーク、３Ｇネットワーク、ＺｉｇＢｅｅネットワークなどの無線通信ネットワークによる通信を可能にする無線などの無線ネットワーク無線（ｗｉｒｅｌｅｓｓ  ｎｅｔｗｏｒｋ  ｒａｄｉｏ）を介して１つ以上のネットワークに接続するアンテナ９２６の１つ以上への接続を含んでもよい。
【００９３】
電子装置９００は、電子装置９００が、様々な他のシステム、プラットフォーム、ネットワーク、装置などと通信してもよい１つ以上のネットワークインターフェース９０８をさらに含んでもよい。ネットワークインターフェース９０８は、例えば、１つ以上のネットワークを介して１つ以上の無線ルータ、１つ以上のホストサーバ、１つ以上のウェブサーバなどとの通信を可能にしてもよい。
【００９４】
アンテナ９２６は、例えば、アンテナ９２６を介して信号を送信または受信するために使用される通信プロトコルに応じて、任意の適切な種類のアンテナを含んでもよい。適切なアンテナの非制限的な例としては、指向性アンテナ、非指向性アンテナ、ダイポールアンテナ、折り返しダイポールアンテナ、パッチアンテナ、多入力多出力（ＭＩＭＯ）アンテナを挙げることができる。アンテナ９２６は、信号が送信または受信されてもよい１つ以上のトランシーバ９１２または無線構成要素に通信可能に結合されてもよい。
【００９５】
上記のように、アンテナ９２６は、グローバルシステムフォーモバイルコミュニケーションズ（ＧＳＭ）、３Ｇ規格（例えば、ユニバーサル移動体通信システム（ＵＭＴＳ）、広帯域符号分割多重アクセス（Ｗ−ＣＤＭＡ）、ＣＤＭＡ２０００など）、４Ｇ規格（例えば、ロングタームエボリューション（ＬＴＥ），ＷｉＭａｘなど）、ダイレクトサテライトコミュニケーションなどの確立された規格およびプロトコルに従って信号を送信または受信するように構成されたセルラアンテナを含んでもよい。
【００９６】
アンテナ９２６は、追加的に、または代替的に、２．４ＧＨｚチャネル（例えば、８０２．１１ｂ、８０２．１１ｇ、８０２．１１ｎ）、５ＧＨｚチャネル（例えば、８０２．１１ｎ、８０２．１１ａｃ）、または６０ＧＨｚチャネル（例えば、８０２．１１ａｄ）を介することを含む、規格のＩＥＥＥ８０２．１１ファミリーなどの確立された規格およびプロトコルに従って信号を送信または受信するように構成されたＷｉ−Ｆｉアンテナを含んでもよい。代替の例示的な実施形態では、アンテナ９２６は、無線スペクトルの無免許部分の一部を構成する任意の適切な周波数範囲内の無線周波数信号を送信または受信するように構成されてもよい。
【００９７】
アンテナ９２６は、追加的にまたは代替的に、時間位置情報を担持する少なくとも３つ以上のＧＮＳＳ衛星からＧＮＳＳ信号を受信して、それらから位置を三角測量するように構成されたＧＮＳＳアンテナを含んでもよい。そのようなＧＮＳＳアンテナは、例えば、全地球測位システム（ＧＰＳ）、ＧＬＯＮＡＳＳシステム、コンパスナビゲーションシステム、ガリレオシステム、またはインド地域ナビゲーションシステムなどの任意の現在のまたは計画されたＧＮＳＳからＧＮＳＳ信号を受信するように構成されてもよい。
【００９８】
トランシーバ９１２は、アンテナ９２６と協働して、電子装置９００によって利用される通信プロトコルに対応する帯域幅および／またはチャネルにおける無線周波数（ＲＦ）信号を送信または受信して、他の装置と通信するための任意の適切な無線構成要素を含んでもよい。トランシーバ９１２は、ＩＥＥＥ８０２．１１規格、１つ以上の非Ｗｉ−Ｆｉプロトコル、または１つ以上のセルラ通信プロトコルまたは規格によって規格化された１つ以上のＷｉ−Ｆｉおよび／またはＷｉ−Ｆｉダイレクトプロトコルを含むが、それらに限定されない、上記の通信プロトコルのいずれかに従って通信信号を、アンテナ９２６のいずれかと協働して潜在的に、変調、送信、または受信するためのハードウェア、ソフトウェア、および／またはファームウェアを含んでもよい。トランシーバ９１２は、ＧＮＳＳ信号を受信するためのハードウェア、ファームウェア、またはソフトウェアをさらに含んでもよい。トランシーバ９１２は、電子装置９００によって利用される通信プロトコルを介して通信するのに適切な任意の既知の受信器およびベースバンドを含んでもよい。トランシーバ９１２は、低雑音増幅器（ＬＮＡ）、付加信号増幅器、アナログ−デジタル（Ａ／Ｄ）変換器、１つ以上のバッファ、デジタルベースバンドなどをさらに含んでもよい。
【００９９】
センサ／センサインターフェース９１０は、例えば、慣性センサ、力センサ、熱センサ、光電セルなどの任意の適切な種類の検知装置を含んでもよく、またはそれとインターフェースすることができてもよい。例示的な種類の慣性センサは、加速度計（例えば、ＭＥＭＳベースの加速度計）、ジャイロスコープなどを含んでもよい。
【０１００】
ディスプレイスタック９１４は、図１〜１３と関連して記載されている電気泳動ディスプレイスタックなどの電気泳動ディスプレイスタックであってもよい。マイクロフォン９１６は、アナログ音声入力または音声データを受信するように構成された任意の装置であってもよい。
【０１０１】
データ記憶装置９２０に記憶されているように図１４に示されているプログラムモジュール、アプリケーション、コンピュータ実行可能命令、コードなどは、単に例示的であって、網羅的なものではないことと、任意の特定のモジュールによってサポートされているように記載されている処理は、代替的に、複数のモジュールにわたって分配され、または異なるモジュールによって実行されてもよいことと、が理解される必要がある。さらに、電子装置９００にローカルでホストされた、および／または１つ以上のネットワークを介してアクセス可能な他の計算装置にホストされた様々なプログラムモジュール、スクリプト、プラグイン、アプリケーションプログラミングインターフェース（ＡＰＩ）、または任意の他の適切なコンピュータ実行可能コードは、図１４に示されているプログラムモジュール、アプリケーション、またはコンピュータ実行可能コードより提供される機能性、および／または付加的なまたは代替的な機能性をサポートするために備えられてもよい。さらに、図１４に示されているプログラムモジュールの収集により集合的にサポートされているように記載されている処理が、より少ないまたはより多い数のモジュールによって実行されてもよいように、機能性が異なるようにモジュラー化されてもよく、または、任意の特定のモジュールによってサポートされているように記載されている機能性が、別のモジュールによって、少なくとも一部がサポートされてもよい。さらに、本明細書に記載されている機能性をサポートするプログラムモジュールは、例えば、クライアントサーバモデル、ピアツーピアモデルなどの任意の適切な計算モデルに従って任意の数のシステムまたは装置にわたって実行可能な１つ以上のアプリケーションの一部を構成してもよい。さらに、図１４に示されているプログラムモジュールのいずれかによってサポートされているように記載されている機能性のいずれかは、任意の数の装置にわたってハードウェアおよび／またはファームウェアにおいて、少なくとも一部が、実行されてもよい。
【０１０２】
電子装置９００は、本開示の範囲から逸脱することなく、記載されているまたは示されているもの以外の代替および／または付加のハードウェア、ソフトウェア、またはファームウェア構成要素を含んでもよいことがさらに理解される必要がある。特に、電子装置９００の一部を構成するように示されているソフトウェア、ファームウェアまたはハードウェアの構成要素は単に例示的であることと、いくつかの構成要素は存在しなくてもよく、または、付加構成要素が様々な実施形態に提供されてもよいこととが理解される必要がある。様々な例示的なプログラムモジュールが、データ記憶装置９２０に記憶されているソフトウェアとして示されかつ記載されている一方、プログラムモジュールによってサポートされているとして記載されている機能性が、ハードウェア、ソフトウェアおよび／またはファームウェアの任意の組み合わせによって可能になってもよいことが理解される必要がある。上記のモジュールの各々が、様々な実施形態において、サポートされている機能性のロジカルパーティショニングを表してもよいことが、さらに理解される必要がある。このロジカルパーティショニングは、機能性の説明を容易にするために示され、機能性を実装するソフトウェア、ハードウェア、および／またはファームウェアについての表現であってもよい。したがって、特定のモジュールによって提供されているとして記載されている機能性が、様々な実地形態において、１つ以上の他のモジュールによって少なくとも一部が提供されてもよいことが理解される必要がある。さらに、１つ以上の記載されているモジュールは、特定の実施形態に存在してもよい一方、他の実施形態において、示されていない付加モジュールが存在してもよく、記載されている機能性および／または付加機能性の少なくとも一部をサポートしてもよい。さらに、特定のモジュールは、別のモジュールのサブモジュールとして示されおよび記載されていてもよい一方、特定の実施形態において、そのようなモジュールは、他のモジュールの独立したモジュールとして、またはサブモジュールとして提供されてもよい。
【０１０３】
図１〜１３の方法、プロセスフロー、および使用事例の１つ以上の動作は、図１４に示されている例示的な構成を有する装置により、または、より具体的には、そのような装置で実行可能な１つ以上のエンジン、プログラムモジュール、アプリケーションなどにより実行されてもよい。しかしながら、そのような動作は、多くの他の装置構成に関連して実行されてもよいことが理解される必要がある。
【０１０４】
図１〜１３の例示的な方法およびプロセスフローに記載されかつ示されている動作は、本開示の様々な例示的な実施形態において所望に応じて任意の適切な順序で実行または実施されてもよい。さらに、特定の例示的な実施形態では、動作の少なくとも一部は並列に実行されてもよい。さらに、特定の例示的な実施形態では、図１〜１３で示しているものより少ない、多いまたはそれらとは異なる動作が実行されてもよい。
【０１０５】
本開示の特定の実施形態が記載されているが、当業者は、多くの他の修正および代替実施形態が本開示の範囲内にあることを理解するであろう。例えば、特定の装置または構成要素に関して記載されている機能性および／または処理能力のいずれも、任意の他の装置または構成要素によって実行されてもよい。さらに、様々な例示的な実装およびアーキテクチャについて、本開示の実施形態に従って記載されているが、当業者は、本明細書に記載されている例示的な実装およびアーキテクチャに対する多くの他の修正も本開示の範囲内にあることを理解するであろう。
【０１０６】
本開示の特定の態様について、例示的な実施形態に従ったシステム、方法、装置、および／またはコンピュータプログラム製品のブロック図およびフロー図を参照して上記に記載されている。１つ以上のブロック図およびフロー図、ならびにブロック図およびフロー図におけるブロックの組み合わせはそれぞれ、コンピュータ実行可能プログラム命令の実行により実施されてもよいことが理解されるであろう。同様に、ブロック図およびフロー図のいくつかのブロックは、いくつかの実施形態に従って、提示された順序で実行される必要は必ずしもなくてもよく、または、全く実行される必要が必ずしもなくてもよい。さらに、ブロック図および／またはフロー図のブロックに示されているもの以外の追加の構成要素および／または動作が特定の実施形態において存在してもよい。
【０１０７】
したがって、ブロック図およびフロー図のブロックは、特定の機能を実行するための手段の組み合わせ、特定の機能を実行するための要素またはステップの組み合わせ、および特定の機能を実行するためのプログラム命令手段をサポートする。ブロック図およびフロー図の各ブロック、ならびにブロック図およびフロー図におけるブロックの組み合わせが、特定の目的、特定の機能、要素もしくはステップを実行するハードウェアベースのコンピュータシステム、または特定目的ハードウェアおよびコンピュータ命令の組み合わせによって、実行されてもよいことも理解されるであろう。
【０１０８】
本明細書に開示されているプログラムモジュール、アプリケーションなどは、例えば、ソフトウェアオブジェクト、方法、データ構造などを含む１つ以上のソフトウェア構成要素を含んでもよい。各そのようなソフトウェア構成要素は、実行に応答して、本明細書に記載されている機能性（例えば、本明細書に記載されている例示的な方法の１つ以上の動作）の少なくとも一部が実行されるようにするコンピュータ実行可能命令を含んでもよい。
【０１０９】
ソフトウェア構成要素は、様々なプログラミング言語のいずれかでコード化されてもよい。例示的なプログラミング言語は、特定のハードウェアアーキテクチャおよび／またはオペレーティングシステムプラットフォームに関連するアセンブリ言語などの下位プログラミング言語であってもよい。アセンブリ言語命令を含むソフトウェア構成要素は、ハードウェアアーキテクチャおよび／またはプラットフォームによる実行の前にアセンブリにより実行可能マシンコードへの変換を必要としてもよい。
【０１１０】
別の例示的なプログラミング言語は、複数のアーキテクチャにわたって可搬性があってもよいより上位のプログラミング言語であってもよい。より上位のプログラミング言語命令を含むソフトウェア構成要素は、実行前にインタプリタまたはコンパイラによる中間表現への変換を必要としてもよい。
【０１１１】
プログラミング言語の他の例としては、マクロ言語、シェルまたはコマンド言語、ジョブ制御言語、スクリプト言語、データベースクエリまたは検索言語、またはレポート作成言語が挙げられるが、それらに限定されるものではない。１つ以上の例示的な実施形態では、上記のプログラミング言語の例の１つにおける命令を含むソフトウェア構成要素は、はじめに別の形態に変換される必要なく、オペレーティングシステムまたは他のソフトウェア構成要素によって直接実行されてもよい。
【０１１２】
ソフトウェア構成要素は、ファイルまたは他のデータ記憶構成物として記憶されてもよい。同様の種類のまたは機能的に関連するソフトウェア構成要素は、例えば、特定のディレクトリ、フォルダ、またはライブラリなどに一緒に記憶されてもよい。ソフトウェア構成要素は、静的（例えば、事前設定または固定）または動的（例えば、実行時に作成または変更）であってもよい。
【０１１３】
ソフトウェア構成要素は、幅広い種類の機構のいずれかにより他のソフトウェア構成要素を呼び出しても、または、それらによって呼び出されてもよい。呼び出されたまたは呼び出すソフトウェア構成要素は、他のカスタム開発アプリケーションソフトウェア、オペレーティングシステム機能性（例えば、デバイスドライバ、データ記憶（ファイル管理）ルーチン、他の共通ルーチンおよびサービスなど）、またはサードパーティソフトウェア（例えば、ミドルウェア、暗号、または他のセキュリティソフトウェア、データベース管理ソフトウェア、ファイル転送または他のネットワーク通信ソフトウェア、数理的または統計的ソフトウェア、画像処理ソフトウェア、およびフォーマット翻訳ソフトウェア）を含んでもよい。
【０１１４】
特定のソリューションまたはシステムに関連するソフトウェア構成要素は、単一のプラットフォームに常駐およびそこで実行されてもよく、または、複数のプラットフォームにわたって分配されてもよい。複数のプラットフォームは、１つ以上のハードウェアベンダ、基礎をなすチップ技術、またはオペレーティングシステムに関連してもよい。さらに、特定のソリューションまたはシステムに関連するソフトウェア構成要素は、１つ以上のプログラミング言語で最初に書き込まれてもよいが、別のプログラミング言語で書き込まれたソフトウェア構成要素を呼び出してもよい。
【０１１５】
コンピュータ実行可能プログラム命令は、コンピュータ、プロセッサ、または他のプログラマブルデータ処理装置における命令の実行がフロー図で特定された１つ以上の機能または動作を実行させるように、特定目的コンピュータまたは他の特定のマシン、プロセッサ、または他のプログラマブルデータ処理装置にロードされて、特定のマシンを生成してもよい。これらのコンピュータプログラム命令はまた、コンピュータ可読記憶媒体（ＣＲＳＭ）に記憶されている命令が、フロー図で特定された１つ以上の機能または動作を実行する命令手段を含む製造の物品を製造するように、実行時にコンピュータまたは他のプログラマブルデータ処理装置に特定の様式で機能するよう命令してもよい、コンピュータ可読記憶媒体に記憶されてもよい。コンピュータプログラム命令はまた、コンピュータまたは他のプログラマブルデータ処理装置にロードされて、一連の動作要素またはステップをコンピュータまたは他のプログラマブルデータ処理装置上で実行させて、コンピュータにより実行されるプロセスを生成してもよい。
【０１１６】
本明細書で記載されている装置のいずれかに存在してもよい追加の種類のＣＲＳＭとして、プログラマブルランダムアクセスメモリ（ＰＲＡＭ）、ＳＲＡＭ、ＤＲＡＭ、ＲＡＭ、ＲＯＭ、電気的消去可能プログラマブル読み出し専用メモリ（ＥＥＰＲＯＭ）、フラッシュメモリまたは他のメモリ技術、コンパクトディスク読み出し専用メモリ（ＣＤ−ＲＯＭ）、デジタルバーサタイルディスク（ＤＶＤ）または他の光記憶装置、磁気カセット、磁気テープ、磁気ディスク記憶装置または他の磁気記憶装置、または情報を記憶するために使用され得るおよびアクセスされ得る任意の他の媒体を挙げてもよいが、それらに限定されるものではない。上記のいずれかの組み合わせはまた、ＣＲＳＭの範囲内に含まれる。代替として、コンピュータ可読通信媒体（ＣＲＣＭ）は、コンピュータ可読命令、プログラムモジュール、または搬送波もしくは他の送信などのデータ信号内で送信される他のデータを含んでもよい。しかしながら、本明細書で使用される場合、ＣＲＳＭはＣＲＣＭを含まない。
【０１１７】
実施形態は、構造的な特徴および／または方法論的動作に特有の言語で記載されているが、本開示が記載されている特定の特徴または動作に必ずしも限定されるものではないことが理解されるべきである。むしろ、特定の特徴および動作は、実施形態を実行する例示的な形態として開示されている。とりわけ、「ｃａｎ」、「ｃｏｕｌｄ」、「ｍｉｇｈｔ」または「ｍａｙ」などの条件言語は、特に別段の記載がない限り、または使用されているコンテキスト内で理解される限り、一般的に、特定の特徴、要素、および／またはステップを特定の実施形態が含み得るが、他の実施形態は含まないことを意味するように意図されている。したがって、そのような条件言語は、一般に、特徴、要素、および／またはステップが１つ以上の実施形態のために必要な様式にあること、または、１つ以上の実施形態が、これらの特徴、要素、および／またはステップが任意の特定の実施形態に含まれるかどうか、またはその実施形態において実行されるべきであるかどうかを、ユーザ入力の有無にかかわらず、判定するまたは促すための論理を必ず含むこと、を意味するよう意図されていない。
【０１１８】
本開示の実施形態は、下記の実施形態の１つ以上の観点から記載され得る。
【０１１９】
実施形態１は、電子リーダ装置での使用のための自己治癒ディスプレイスタックであって、自己治癒ディスプレイスタックは、可撓性電気泳動ディスプレイ（ＥＰＤ）層であって、ポリマー基板層および光学的に透明な接着層を含むホットメルト保護シート層と、ホットメルト保護シート層に結合された電極層と、電極層に結合されたマイクロカプセル層であって、電極層はマイクロカプセル層に電圧を印加する、マイクロカプセル層と、マイクロカプセル層に結合された可撓性ポリイミド薄膜トランジスタ（ＴＦＴ）層と、ポリイミドＴＦＴ層に結合された後保護シートであって、後保護シートはＥＰＤ層を支持するように構成された、後保護シートと、を含むＥＰＤ層と、ＥＰＤ層に結合された第１のアクリル接着層と、第１のアクリル接着層に結合されたライトガイドと、ライトガイド上に配置された第２のアクリル接着層と、第２のアクリル接着層に結合されたタッチセンサ層と、タッチセンサ層上に配置された第３のアクリル接着層と、第１の表面および第２の表面を有する自己治癒プラスチックカバーレンズであって、第１の表面はグレア防止表面特徴を含み、自己治癒プラスチックカバーレンズは合成ポリウレタンポリマーを含み、第３のアクリル接着層は第２の表面と接している、自己治癒プラスチックカバーレンズと、を含む、自己治癒ディスプレイスタックを含んでもよい。
【０１２０】
実施形態２は、自己治癒プラスチックカバーレンズは、プラスチック層および約１〜約１．２８の屈折率を有する第１の材料層を含み、第２の表面は第１の材料層により形成され、自己治癒ディスプレイスタックはさらに、第２の表面の外周の周りに配置された積層構成における第１の数の白色インク層であって、第１の数の白色インク層の各層は第１の幅を有する、第１の数の白色インク層と、第１の数の白色インク層に隣接して縦方向に配置された積層構成における第２の数の黒色インク層であって、第１の数の黒色インク層の各層は第１の幅よりも小さい第２の幅を有し、第２の数は第１の数よりも小さい、第２の数の黒色インク層と、を含む、実施形態１を含んでもよい。
【０１２１】
実施形態３は、ＥＰＤ層に隣接して横方向に可撓性ポリイミドＴＦＴ層上に配置された集積回路と、集積回路の第１の側面に沿って可撓性ポリイミドＴＦＴ層の第１の部分上に配置された第１の硬質シーラント材料であって、第１の硬質シーラント材料は集積回路を支持するように構成された、第１の硬質シーラント材料と、第１の側面に対向する集積回路の第２の側面に沿って可撓性ポリイミドＴＦＴ層の第２の部分上に配置された第２の硬質シーラント材料と、集積回路とホットメルト保護シート層との間に配置された黒色テープ層と、をさらに含む、実施形態１〜２のいずれか１つを含んでもよい。
【０１２２】
実施形態４は、自己治癒プラスチックカバーレンズは、硬質プラスチック基板と、硬質プラスチック基板上に配置された合成ポリウレタンポリマー層と、を含む、実施形態１〜３のいずれか１つを含んでもよい。
【０１２３】
実施形態５は、１つ以上の発光ダイオード（ＬＥＤ）からの光を方向付けるように構成されたライトガイドと、プラスチックカバーレンズと、可撓性電気泳動ディスプレイ（ＥＰＤ）であって、第１の幅を有する可撓性プラスチック薄膜トランジスタ（ＴＦＴ）後面と、可撓性プラスチックＴＦＴ後面に結合された電気泳動層と、電気泳動層に結合された電極層と、可撓性プラスチックＴＦＴ後面上に配置された集積回路と、第１の幅以上である第２の幅を有する第１の保護シートとを含む、ＥＰＤと、を含む、ディスプレイスタックを含んでもよい。
【０１２４】
実施形態６は、第１の保護シートが５０ミクロン以下の厚さを有するホットメルト保護シートであり、ホットメルト保護シートおよび電極層が共に集積回路に適合している、実施形態５を含んでもよい。
【０１２５】
実施形態７は、集積回路が電気泳動層に隣接して配置され、ディスプレイスタックは、集積回路と第１の保護シートとの間に位置決めされた光遮断材料層をさらに含む、実施形態５〜６のいずれか１つを含んでもよい。
【０１２６】
実施形態８は、集積回路が電気泳動層に隣接して配置され、ディスプレイスタックは、第１の保護シート上に配置され、かつ集積回路と位置合わせされた光遮断材料層をさらに含む、実施形態５〜７のいずれか１つを含んでもよい。
【０１２７】
実施形態９は、実施形態５〜８のいずれか１つを含んでもよく、プラスチックカバーレンズとライトガイドとの間に少なくとも一部が配置されたタッチセンサ可撓性プリント回路（ＦＰＣ）と、ライトガイドと可撓性ＦＰＤとの間に少なくとも部分的に配置されたＬＥＤ  ＦＰＣと、ＬＥＤ  ＦＰＣに隣接して縦方向に配置されたＥＰＤ  ＦＰＣと、をさらに含んでもよい。
【０１２８】
実施形態１０は、実施形態５〜９のいずれか１つを含んでもよく、集積回路の少なくとも１つのエッジ面に沿って可撓性プラスチックＴＦＴ後面の一部上に配置された硬質シーラント材料をさらに含んでもよく、可撓性プラスチックＴＦＴ後面はポリイミド材料を含む。
【０１２９】
実施形態１１は、プラスチックカバーレンズが集積回路および可撓性プラスチックＴＦＴ後面の上方に延びている、実施形態５〜１０のいずれか１つを含んでもよい。
【０１３０】
実施形態１２は、実施形態５〜１１のいずれか１つを含んでもよく、可撓性プラスチックＴＦＴ後面に結合された第２の保護シートと、可撓性プラスチックＴＦＴ後面の少なくとも１つのエッジに隣接する第２の保護シートの一部上に配置された硬質シーラント材料と、をさらに含んでもよい。
【０１３１】
実施形態１３は、ハウジングと、ハウジングに接着されたディスプレイスタックと、を含む装置であって、ディスプレイスタックは、第１の幅を有する可撓性プラスチック薄膜トランジスタ（ＴＦＴ）後面と、可撓性プラスチックＴＦＴ後面上に配置された集積回路と、可撓性ＴＦＴ後面に結合された電気泳動層と、電気泳動層に結合された電極層と、ライトガイドと、紫外光遮断材料を含むプラスチックカバーレンズと、第１の幅以上である第２の幅を有する第１の保護シートと、を含む、装置を含んでもよい。
【０１３２】
実施形態１４は、第１の保護シートが、５０ミクロン以下の厚さを有するホットメルト保護シートであり、ホットメルト保護シートおよび電極層が共に集積回路に適合している、実施形態１３を含んでもよい。
【０１３３】
実施形態１５は、プラスチックカバーレンズが、プラスチック基板と、プラスチック基板上に配置された自己治癒材料層であって、自己治癒層がグレア防止表面特徴を含む、自己治癒材料層と、を含む、実施形態１３〜１４のいずれか１つを含んでもよい。
【０１３４】
実施形態１６は、可撓性プラスチックＴＦＴ後面に結合された第２の保護シートと、可撓性プラスチックＴＦＴ後面の少なくとも１つのエッジに隣接する第２の保護シートの一部上に配置された硬質シーラント材料と、をさらに含む、実施形態１３〜１５のいずれか１つを含んでもよい。
【０１３５】
実施形態１７は、実施形態１３〜１６のいずれか１つを含んでもよく、集積回路の少なくとも１つのエッジ面に沿って可撓性プラスチックＴＦＴ後面の一部上に配置された硬質シーラント材料をさらに含んでもよい。
【０１３６】
実施形態１８は、実施形態１３〜１７のいずれか１つを含んでもよく、ライトガイドに一体化されたタッチセンサ層をさらに含んでもよい。
【０１３７】
実施形態１９は、プラスチックカバーレンズは、約１．０〜約１．２８の屈折率を有する第１のコーティング層と、接着層と、プラスチック層と、を含み、装置は、プラスチック層または第１のコーティング層の外周の周りに配置された積層構成における第１の数の白色材料層であって、それぞれの白色材料層は第１の幅を有する、第１の数の白色材料層と、白色材料層に隣接して配置された積層構成における第２の数の黒色材料層であって、それぞれの黒色材料層は第２の幅を有する、第２の数の黒色材料層と、をさらに含む、実施形態１３〜１８のいずれか１つを含んでもよい。
【０１３８】
実施形態２０は、実施形態１３〜１９のいずれか１つを含んでもよく、プラスチックカバーレンズは、第１のプラスチック層上に配置されたグレア防止コーティングと、第１のプラスチック層の外周の周りに配置された積層構成における第１の数の白色材料層であって、それぞれの白色材料層は第１の幅を有する、第１の数の白色材料層と、白色材料層に隣接して配置された積層構成における第２の数の黒色材料層であって、それぞれの黒色材料層は第２の幅を有する、第２の数の黒色材料層と、平坦化コーティングに隣接する光学的に透明な接着層と、光学的に透明な接着層に結合された第２のプラスチック層と、を含む。
【図１】
2020534563.tif 000003
【図２】
2020534563.tif 000004
【図３】
2020534563.tif 000005
【図４】
2020534563.tif 000006
【図５】
2020534563.tif 000007
【図６】
2020534563.tif 000008
【図７】
2020534563.tif 000009
【図８】
2020534563.tif 000010
【図９】
2020534563.tif 000011
【図１０】
2020534563.tif 000012
【図１１】
2020534563.tif 000013
【図１２】
2020534563.tif 000014
【図１３】
2020534563.tif 000015
【図１４】
2020534563.tif 000016
【国際調査報告】
2020534563.tif 000017
2020534563.tif 000018
2020534563.tif 000019